(57)【要約】【課題】ネットワークを効率よく利用した通信を行なうことが可能な通信システムを提供する。【解決手段】第２の通信端末装置は、自装置のネットワーク名と、第２通信コードに含まれる第２の携帯端末装置の識別情報とに基づいて、他の装置が自装置と通信するための通信ネットワーク名を生成する。第１の通信端末装置は、第２の通信端末装置のネットワーク名と、第１通信コードに含まれる第２の携帯端末装置の識別情報とに基づいて、通信ネットワーク名を生成し、通信ネットワーク名に基づいて、第２の通信端末装置と第２のネットワークを利用した主情報の通信を行なう。【選択図】図２２
2008160728.tif 000002
【特許請求の範囲】
【請求項１】
第１のネットワークと通信可能な第１および第２の携帯端末装置と、第２のネットワークと通信可能であり、前記第１および第２の携帯端末装置にそれぞれ対応する第１および第２の通信端末装置とを含む通信システムであって、
前記第１の携帯端末装置は、
自装置の識別情報と、前記第２の携帯端末装置の識別情報とを含む第１通信コードを生成する第１生成手段と、
前記第１通信コードを、前記第１の通信端末装置に与える第１供与手段とを備え、
前記第２の携帯端末装置は、
自装置の識別情報と、前記第１の携帯端末装置の識別情報とを含む第２通信コードを生成する第２生成手段と、
前記第２通信コードを、前記第２の通信端末装置に与える第２供与手段とを備え、
前記第１の通信端末装置は、
前記第１の携帯端末装置から前記第１通信コードを取得する第１取得手段を備え、
前記第２の通信端末装置は、
前記第２の携帯端末装置から前記第２通信コードを取得する第２取得手段と、
自装置のネットワーク名と、前記第２通信コードに含まれる前記第２の携帯端末装置の識別情報とに基づいて、他の装置が自装置と通信するための通信ネットワーク名を生成する第１ネットワーク名生成手段とを備え、
前記第１の通信端末装置は、さらに、
前記第２の通信端末装置のネットワーク名を記憶する記憶手段と、
前記第２の通信端末装置のネットワーク名と、前記第１通信コードに含まれる前記第２の携帯端末装置の識別情報とに基づいて、前記通信ネットワーク名を生成する第２ネットワーク名生成手段と、
生成した前記通信ネットワーク名に基づいて、前記第２の通信端末装置と前記第２のネットワークを利用した主情報の通信を行なう通信手段とを備える、通信システム。
【請求項２】
前記主情報は、画像および音声の情報である、請求項１に記載の通信システム。
【請求項３】
前記第１の通信端末装置の前記通信手段は、自装置のネットワークアドレスを、前記第２の通信端末装置へ送信し、
前記第２の通信端末装置は、さらに、
前記自装置のネットワークアドレスを受信する受信手段と、
受信した前記自装置のネットワークアドレスに基づいて、前記第１の通信端末装置と前記第２のネットワークを利用した前記主情報の通信を行なう情報通信手段とを備える、請求項１に記載の通信システム。
【請求項４】
前記第２生成手段が前記第２通信コードを生成するために使用する前記第１の携帯端末装置の識別情報は、前記第２の携帯端末装置が、前記第１のネットワークを介して、前記第１の携帯端末装置から受信した情報である、請求項１に記載の通信システム。
【請求項５】
前記第１通信コードおよび前記第２通信コードの各々は、さらに、前記第１および第２の通信端末装置間の通信を確立するために必要な通信確立必要情報を含む、請求項１に記載の通信システム。
【請求項６】
前記第１通信コードおよび前記第２通信コードの各々は、前記第１および第２の通信端末装置間の通信が可能な期限を示す期限情報を含む、請求項１に記載の通信システム。
【発明の詳細な説明】
【技術分野】
【０００１】
本発明は、通信システムに関し、特に、複数の装置間で通信を行なうための処理を行なう通信システムに関する。
【背景技術】
【０００２】
近年、テレビ電話が普及しつつある。特開平１１−２３４６４２号公報（特許文献１）には、携帯電話およびテレビを利用したテレビ電話の技術（以下、第１の先行技術ともいう）が開示されている。
【特許文献１】特開平１１−２３４６４２号公報
【発明の開示】
【発明が解決しようとする課題】
【０００３】
第１の先行技術では、２つの携帯電話間において、電話回線網を利用して、音声による通話を行ない、テレビが接続された２つのターミナルアダプタ間において、電話回線網とは異なるネットワークを利用して、画像の通信を行なっている。すなわち、第１の先行技術では、テレビ電話を行なうために、異なる２つのネットワークを利用するため、ネットワークの利用効率が悪いという問題点がある。
【０００４】
本発明は、上述の問題点を解決するためになされたものであって、その目的は、ネットワークを効率よく利用した通信を行なうことが可能な通信システムを提供することである。
【課題を解決するための手段】
【０００５】
上述の課題を解決するために、この発明のある局面に従うと、第１のネットワークと通信可能な第１および第２の携帯端末装置と、第２のネットワークと通信可能であり、第１および第２の携帯端末装置にそれぞれ対応する第１および第２の通信端末装置とを含む通信システムであって、第１の携帯端末装置は、自装置の識別情報と、第２の携帯端末装置の識別情報とを含む第１通信コードを生成する第１生成手段と、第１通信コードを、第１の通信端末装置に与える第１供与手段とを備え、第２の携帯端末装置は、自装置の識別情報と、第１の携帯端末装置の識別情報とを含む第２通信コードを生成する第２生成手段と、第２通信コードを、第２の通信端末装置に与える第２供与手段とを備え、第１の通信端末装置は、第１の携帯端末装置から第１通信コードを取得する第１取得手段を備え、第２の通信端末装置は、第２の携帯端末装置から第２通信コードを取得する第２取得手段と、自装置のネットワーク名と、第２通信コードに含まれる第２の携帯端末装置の識別情報とに基づいて、他の装置が自装置と通信するための通信ネットワーク名を生成する第１ネットワーク名生成手段とを備え、第１の通信端末装置は、さらに、第２の通信端末装置のネットワーク名を記憶する記憶手段と、第２の通信端末装置のネットワーク名と、第１通信コードに含まれる第２の携帯端末装置の識別情報とに基づいて、通信ネットワーク名を生成する第２ネットワーク名生成手段と、生成した通信ネットワーク名に基づいて、第２の通信端末装置と第２のネットワークを利用した主情報の通信を行なう通信手段とを備える。
【０００６】
好ましくは、主情報は、画像および音声の情報である。
好ましくは、第１の通信端末装置の通信手段は、自装置のネットワークアドレスを、第２の通信端末装置へ送信し、第２の通信端末装置は、さらに、自装置のネットワークアドレスを受信する受信手段と、受信した自装置のネットワークアドレスに基づいて、第１の通信端末装置と第２のネットワークを利用した主情報の通信を行なう情報通信手段とを備える。
【０００７】
好ましくは、第２生成手段が第２通信コードを生成するために使用する第１の携帯端末装置の識別情報は、第２の携帯端末装置が、第１のネットワークを介して、第１の携帯端末装置から受信した情報である。
【０００８】
好ましくは、第１通信コードおよび第２通信コードの各々は、さらに、第１および第２の通信端末装置間の通信を確立するために必要な通信確立必要情報を含む。
【０００９】
好ましくは、第１通信コードおよび第２通信コードの各々は、第１および第２の通信端末装置間の通信が可能な期限を示す期限情報を含む。
【発明の効果】
【００１０】
本発明に係る通信システムは、第１のネットワークと通信可能な第１および第２の携帯端末装置と、第２のネットワークと通信可能であり、第１および第２の携帯端末装置にそれぞれ対応する第１および第２の通信端末装置とを含む。第１の携帯端末装置は、自装置の識別情報と、第２の携帯端末装置の識別情報とを含む第１通信コードを第１の通信端末装置に与える。第２の携帯端末装置は、自装置の識別情報と、第１の携帯端末装置の識別情報とを含む第２通信コードを第２の通信端末装置に与える。第２の通信端末装置は、自装置のネットワーク名と、第２通信コードに含まれる第２の携帯端末装置の識別情報とに基づいて、他の装置が自装置と通信するための通信ネットワーク名を生成する。第１の通信端末装置は、第２の通信端末装置のネットワーク名と、第１通信コードに含まれる第２の携帯端末装置の識別情報とに基づいて、通信ネットワーク名を生成し、通信ネットワーク名に基づいて、第２の通信端末装置と第２のネットワークを利用した主情報の通信を行なう。
【００１１】
したがって、第１の通信端末装置は、第２の通信端末装置と、第１のネットワークを利用することなく、１つの第２のネットワークを利用した主情報の通信を行なう。その結果、ネットワークを効率よく利用した通信を行なうことができるという効果を奏する。
【発明を実施するための最良の形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜第１の実施の形態＞
（システムの構成）
図１は、本実施の形態におけるネットワークシステム１０００の構成を示す図である。図１を参照して、ネットワークシステム１０００には、宅内ネットワーク５０１．１，５０１．２，・・・，５０１．ｎが含まれる。以下においては、宅内ネットワーク５０１．１，５０１．２，・・・，５０１．ｎ（ｎ：自然数）を総括的に、宅内ネットワーク５０１ともいう。
【００１４】
宅内ネットワーク５０１は、店舗内に設けられたネットワークである。なお、宅内ネットワーク５０１は、店舗内に設けられたネットワークに限定されることなく、ユーザの自宅内、会社内等に設けられたネットワークであってもよい。宅内ネットワーク５０１には、携帯端末装置５００と、通信端末装置６００と、情報処理サーバ７００と、通信部５０とが含まれる。
【００１５】
携帯端末装置５００は、携帯電話である。なお、携帯端末装置５００は、携帯電話に限定されることなく、通信機能を備え、携帯可能な装置であればどのような装置（たとえば、ＰＤＡ（Personal Digital Assistance）、ＰＣ（Personal Computer））でもよい。
【００１６】
携帯端末装置５００は、電話網６０と、無線によりデータ通信可能である。電話網６０は、たとえば、携帯電話のための電話網である。なお、携帯端末装置５００は、電話網６０とデータ通信をした場合、データ通信時に使用したデータ量に応じたパケット料金が発生する。
【００１７】
通信端末装置６００は、画像を表示するための表示装置を含む、特別なハード構成を有しない一般的なディスプレイ一体型ＰＣであるとする。なお、通信端末装置６００は、ディスプレイ一体型ＰＣに限定されることなく、画像を表示可能な装置であればどのような装置であってもよい。また、通信端末装置６００は、画像を表示するための表示装置と、当該表示装置に表示させるための画像データを送信する画像データ送信装置とから構成される装置であってもよい。画像データ送信装置は、たとえば、ＰＣである。
【００１８】
情報処理サーバ７００は、ＰＣである。なお、情報処理サーバ７００は、ＰＣに限定されることなく、他の装置であってもよい。
【００１９】
携帯端末装置５００と、通信端末装置６００とは、無線または有線でデータ通信を行なう。
【００２０】
通信部５０は、通信端末装置６００、情報処理サーバ７００およびネットワーク７０の各々と、データ通信を行なう機能を有する。ネットワーク７０は、インターネットなどの外部のネットワークである。
【００２１】
通信部５０は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５０は、通信端末装置６００、情報処理サーバ７００およびネットワーク７０の各々と、無線でデータ通信を行なうことが可能である。
【００２２】
また、通信部５０は、さらに、イーサネット（登録商標）を利用した通信用インターフェースを有する。したがって、通信部５０は、たとえば、ＬＡＮケーブルを介して、通信端末装置６００、情報処理サーバ７００およびネットワーク７０の各々とデータ通信を行なうことができる。すなわち、通信部５０は、通信端末装置６００、情報処理サーバ７００およびネットワーク７０の各々と、有線でデータ通信を行なうことが可能である。
【００２３】
また、ネットワーク７０は、電話網６０と、無線または有線によりデータ通信可能である。したがって、携帯端末装置５００は、電話網６０を介して、ネットワーク７０とデータ通信可能である。
【００２４】
ネットワークシステム１０００には、さらに、管理サーバ８００Ａが含まれる。
管理サーバ８００Ａは、宅内ネットワーク５０１．１，５０１．２，・・・，５０１．ｎの各々に含まれる情報処理サーバ７００を管理するサーバである。管理サーバ８００Ａは、ＰＣである。なお、管理サーバ８００Ａは、ＰＣに限定されることなく、他の装置であってもよい。
【００２５】
管理サーバ８００Ａは、ネットワーク７０と、無線または有線でデータ通信を行なう。
本実施の形態では、通信部５０は、通信端末装置６００、情報処理サーバ７００およびネットワーク７０の各々と、高速にデータ通信が可能であるとする。通信部５０は、通信端末装置６００、情報処理サーバ７００およびネットワーク７０の各々と、たとえば、最大で１００Ｍｂｐｓ（Mega bit per second）の速度でデータ通信が可能であるとする。
【００２６】
また、ネットワーク７０は、通信部５０、電話網６０および管理サーバ８００Ａの各々と、高速にデータ通信が可能であるとする。ネットワーク７０は、通信部５０、電話網６０および管理サーバ８００Ａの各々と、たとえば、最大で１００Ｍｂｐｓの速度でデータ通信が可能であるとする。したがって、たとえば、通信端末装置６００とネットワーク７０とのデータ通信の最大速度は１００Ｍｂｐｓであるとする。
【００２７】
なお、携帯端末装置５００と電話網６０とのデータ通信の速度は、通信端末装置６００とネットワーク７０とのデータ通信の速度よりも遅いとする。携帯端末装置５００と電話網６０とのデータ通信の最大速度は、たとえば、２５６ｋｂｐｓであるとする。
【００２８】
（携帯端末装置）
次に、携帯端末装置５００について詳細に説明する。
【００２９】
図２は、携帯端末装置５００の外観を正面から示した図である。図２を参照して、携帯端末装置５００は、表示部５３０と、音声出力部５７０と、ＬＥＤ５７６と、入力部５４０とを備える。
【００３０】
表示部５３０は、文字や画像等を表示する機能を有する。表示部５３０は、ＬＣＤパネル（Liquid Crystal Display Panel）を使用した装置である。なお、表示部５３０は、上記以外の表示方式のパネルを使用した装置であってもよい。
【００３１】
表示部５３０の解像度は、横４８０（ドット）×縦６４０（ドット）である。なお、表示部５３０の解像度は、横４８０（ドット）×縦６４０（ドット）に限定されることなく、他の解像度であってもよい。
【００３２】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００３３】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００３４】
ＬＥＤ５７６は、携帯端末装置５００で行なわれる処理に応じて、光による報知を行なう。たとえば、ＬＥＤ５７６は、電話の着信があった場合、光を点滅させる。
【００３５】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。
【００３６】
具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００３７】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００３８】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００３９】
機能ボタン５４３Ａは、電話をかけるためのボタンである。たとえば、機能ボタン５４３Ａは、後述する数字ボタン群５４６の短押操作により電話番号を入力した後に、短押操作されることで、入力した電話番号の端末装置に電話をかける処理が行なわれる。また、機能ボタン５４３Ａは、携帯端末装置５００に電話がかかってきた場合、短押操作により通話開始を行なうためのボタンである。機能ボタン５４３Ｂは、携帯端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、携帯端末装置５００の電源のオンとオフとの切替えを行なうためのボタンである。
【００４０】
入力部５４０は、さらに、数字ボタン群５４６を含む。数字ボタン群５４６は、１２個の数字ボタンを含む。なお、数字ボタン群５４６に含まれる数字ボタンの数は、１２個に限定されない。１２個の数字ボタンの各々は、短押操作により、数字、文字または記号等を入力するためのボタンである。１２個の数字ボタンの名称は、それぞれ、０ボタン，１ボタン，２ボタン，３ボタン，４ボタン，５ボタン，６ボタン，７ボタン，８ボタン，９ボタン，記号ボタン１、記号ボタン２という。
【００４１】
入力部５４０は、入力部５４０に含まれる複数のボタンのうち、短押操作または長押操作されたボタンに対応するボタン信号を、後述する制御部５１０へ送信する。すなわち、入力部５４０は、ユーザが携帯端末装置５００を操作するためのインターフェースである。以下においては、ユーザによる、入力部５４０の操作または表示部５３０に対するタッチ操作を、インターフェース操作Ｍともいう。
【００４２】
携帯端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、携帯端末装置５００内の後述する制御部５１０へ送信する。
【００４３】
携帯端末装置５００は、さらに、記録媒体挿入部５５０Ａを備える。記録媒体挿入部５５０Ａは、携帯端末装置５００に後述する記録媒体を挿入する部分である。
【００４４】
携帯端末装置５００は、さらに、撮像部５７８を備える。撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００４５】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００４６】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。なお、携帯端末装置５００は、撮像部５７８を備えなくてもよい。
【００４７】
図３は、携帯端末装置５００の内部構成を示したブロック図である。なお、図３には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００４８】
図３を参照して、携帯端末装置５００は、さらに、制御部５１０と、一時記憶部５２２と、記憶部５２０とを備える。
【００４９】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、その他の各種データ等が記憶されている。
【００５０】
制御部５１０は、記憶部５２０に記憶されたプログラム１８０に従って、携帯端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００５１】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００５２】
そして、制御部５１０は、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００５３】
携帯端末装置５００は、さらに、ＶＤＰ５３２（Video Display Processor）と、ＶＲＡＭ（Video Random Access Memory）５３６とを備える。
【００５４】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００５５】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００５６】
携帯端末装置５００は、さらに、入力部５４０と、記録媒体アクセス部５５０を備える。
【００５７】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００５８】
記録媒体アクセス部５５０は、記録媒体５５５が前述の記録媒体挿入部５５０Ａから携帯端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００５９】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００６０】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。
【００６１】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００６２】
携帯端末装置５００は、さらに、通信部５６０と、通信部５６２とを備える。
通信部５６０は、制御部５１０とデータの送受信を行なう。また、通信部５６０は、通信端末装置６００と有線または無線で、データの送受信を行なう機能を有する。
【００６３】
通信部５６０は、ＵＳＢ（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００６４】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００６５】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、通信端末装置６００と無線でデータ通信を行なう。
【００６６】
通信部５６２は、制御部５１０と、データの送受信を行なう。通信部５６２は、無線ＬＡＮの規格である、ＩＥＥＥ８０２．１１ｇに基づく無線技術を利用してデータ通信を行なう機能を有する。なお、無線技術は、ＩＥＥＥ８０２．１１ｇに基づく技術に限定されることはなく、その他の無線技術であってもよい。
【００６７】
携帯端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００６８】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。
【００６９】
また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００７０】
携帯端末装置５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。
【００７１】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００７２】
制御部５１０は、前述した音声出力部５７０、音声入力部５７４とデータ通信する。
制御部５１０が、音声データを音声出力部５７０へ送信すると、音声出力部５７０は、制御部５１０から受信した音声データに基づく音声をスピーカから出力する。
【００７３】
ユーザが音声入力部５７４に含まれるマイクに対して音声を発すると、音声入力部５７４は、マイクにより取得した音声を音声データに変換して、音声データを、制御部５１０へ送信する。
【００７４】
制御部５１０は、前述したＬＥＤ５７６、撮像部５７８とデータ通信する。ＬＥＤ５７６は、制御部５１０からの制御指示に基づいて、光を発する。
【００７５】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【００７６】
携帯端末装置５００は、さらに、ＲＦＩＤ５８０を備える。ＲＦＩＤ５８０は、たとえば、FeliCa（登録商標）などのセキュリティ機能をもったＲＦＩＤ（Radio Frequency Identification）に基づく集積回路で、非接触で図示しない読み取り端末と通信を行う。また、ＲＦＩＤ５８０は、制御部５１０からの制御指示に基づいて、端末ＩＤなどのデータを出力する。
【００７７】
（通信端末装置）
次に、通信端末装置６００について詳細に説明する。
【００７８】
図４は、通信端末装置６００の内部構成を示したブロック図である。なお、図４には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【００７９】
図４を参照して、通信端末装置６００は、表示部６３０と、音声出力部６７０と、音声入力部６７４と、撮像部６７８とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。表示部６３０が表示可能な画像のサイズは、表示部５３０が表示可能な画像のサイズより大きい。また、表示部６３０の解像度は、表示部５３０の解像度より大きい。たとえば、表示部６３０の解像度は、ＰＣの画像が表示できる横１２８０（ドット）×縦７６８（ドット）の解像度である。なお、表示部６３０の解像度は、横１２８０（ドット）×縦７６８（ドット）に限定されることなく、他の解像度であってもよい。
【００８０】
また、表示部６３０は、ユーザが、画面に直接触れることで、情報入力可能なタッチパネル機能を有する。表示部６３０は、ユーザが画面にタッチした位置情報を、後述する制御部６１０へ送信する。制御部６１０は、受信した位置情報に基づいて、所定の処理を行なう。
【００８１】
音声出力部６７０は、通信端末装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【００８２】
音声入力部６７４は、通信端末装置６００の外部に設けられる。音声入力部６７４は、音声を入力する機能を有する。音声入力部６７４には、音声を入力するマイクが含まれる。音声入力部６７４は、マイクにより取得した音声を音声データに変換して、音声データを、後述する制御部６１０へ送信する。
【００８３】
撮像部６７８は、通信端末装置６００の外部に設けられる。撮像部６７８は、前述した携帯端末装置５００の撮像部５７８と同様な構成および機能を有するので詳細な説明は繰り返さない。すなわち、撮像部６７８は、撮像対象となる被写体を撮像する撮像処理を行なう機能を有する。
【００８４】
撮像処理では、撮像部６７８が、前述した撮像部５７８と同様に、撮像対象となる被写体に反射されて撮像レンズに入射した光を、カラーフィルタ部を介して、受光部に入力させる。受光部は入力された光を電気信号に変換する。そして、撮像部６７８は、変換した電気信号をデジタルデータ（以下、撮像画像データともいう）に変換する。
【００８５】
通信端末装置６００は、さらに、制御部６１０と、一時記憶部６２２と、記憶部６２０とを備える。
【００８６】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、通信端末装置６００を識別するための装置ＩＤ、その他の各種データ等が記憶されている。
【００８７】
制御部６１０は、記憶部６２０に記憶されたプログラム１８０Ａに従って、通信端末装置６００内の各部に対する各種処理や、演算処理等を行なう機能を有する。制御部６１０は、前述の制御部５１０と同様なものであるので詳細な説明は繰り返さない。
【００８８】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【００８９】
通信端末装置６００は、さらに、ＶＤＰ６３２と、ＶＲＡＭ６３６とを備える。
ＶＲＡＭ６３６は、画像データを一時的に記憶する機能を有する。
【００９０】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【００９１】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【００９２】
通信端末装置６００は、さらに、入力部６４０と、記録媒体アクセス部６５０とを備える。
【００９３】
入力部６４０は、図示されない複数のボタンを含む。複数のボタンは、通信端末装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。また、以下においては、ユーザによる、表示部６３０に対するタッチ操作も、インターフェース操作Ｔともいう。
【００９４】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【００９５】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【００９６】
記録媒体５５５Ａは、ＣＤ−ＲＯＭ（Compact Disk Read Only Memory）である。なお、記録媒体５５５Ａは、ＣＤ−ＲＯＭに限定されることなく、データを不揮発的に記録可能なその他の媒体、たとえば、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＳＤメモリーカード（登録商標）等であってもよい。
【００９７】
通信端末装置６００は、さらに、通信部６６０と、通信部６６２とを備える。
通信部６６０は、制御部６１０とデータの送受信を行なう。また、通信部６６０は、携帯端末装置５００と有線または無線で、データの送受信を行なう機能を有する。なお、通信部６６０は、前述の通信部５６０と同様な構成および機能を有するので詳細な説明は繰り返さない。
【００９８】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。
【００９９】
また、通信部６６２は、さらに、イーサネット（登録商標）を利用した通信用インターフェースの機能を有する。したがって、通信部６６２は、たとえば、ＬＡＮケーブルを介して、通信部５０とデータ通信を行なうことができる。
【０１００】
したがって、本実施の形態における通信端末装置６００は、ネットワーク７０から、通信部５０および通信部６６２を介して、ネットワーク７０からプログラムのダウンロード処理を行ない、記憶部６２０に格納することもできる。この場合、当該ダウンロードしたプログラムは、プログラム１８０Ａである。
【０１０１】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１０２】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１０３】
制御部６１０は、前述した音声入力部６７４とデータ通信する。
ユーザが音声入力部６７４に含まれるマイクに対して音声を発すると、音声入力部６７４は、マイクにより取得した音声を音声データに変換して、音声データを、制御部６１０へ送信する。
【０１０４】
制御部６１０は、前述した撮像部６７８とデータ通信する。撮像部６７８は、制御部６１０からの制御指示に基づいて、前述の撮像処理を行ない、撮像画像データを制御部６１０へ送信する。制御部６１０は、撮像画像データを受信すると、撮像画像データを、一時記憶部６２２、記憶部６２０および記録媒体５５５Ａのいずれかに記憶させる。
【０１０５】
（情報処理サーバ）
図５は、情報処理サーバ７００の内部構成を示したブロック図である。図５を参照して、情報処理サーバ７００は、表示部７３０と、制御部７１０と、一時記憶部７２２と、記憶部７２０とを備える。
【０１０６】
表示部７３０は、文字や画像等を表示する機能を有する。表示部７３０は、前述の表示部６３０と同様なものであるので詳細な説明は繰り返さない。
【０１０７】
記憶部７２０は、データを不揮発的に記憶する機能を有する。記憶部７２０は、制御部７１０によってデータアクセスされる。記憶部７２０は、大容量のデータを記憶可能なハードディスクである。なお、記憶部７２０は、ハードディスクに限定されることなく、電源を供給されなくてもデータを不揮発的に保持可能な媒体（たとえば、フラッシュメモリ）であればよい。記憶部７２０には、プログラム１８１、その他の各種データ等が記憶されている。
【０１０８】
制御部７１０は、記憶部７２０に記憶されたプログラム１８１に従って、情報処理サーバ７００内の各部に対する各種処理や、演算処理等を行なう機能を有する。制御部７１０は、前述の制御部５１０と同様なものであるので詳細な説明は繰り返さない。
【０１０９】
一時記憶部７２２は、制御部７１０によってデータアクセスされ、一時的にデータを記憶するワークメモリとして使用される。一時記憶部７２２は、前述の一時記憶部５２２と同様なものであるので詳細な説明は繰り返さない。
【０１１０】
情報処理サーバ７００は、さらに、ＶＤＰ７３２と、ＶＲＡＭ７３６とを備える。
ＶＲＡＭ７３６は、画像データを一時的に記憶する機能を有する。
【０１１１】
制御部７１０は、記憶部７２０に記憶されたプログラム１８１に従って、ＶＤＰ７３２に対し、描画指示を出す。描画指示とは、画像を生成し、当該画像を表示部７３０に表示させる指示である。
【０１１２】
ＶＤＰ７３２は表示部７３０と接続されている。ＶＤＰ７３２は、制御部７１０からの描画指示に応じて、記憶部７２０内の後述するプログラム１８１からフォントデータ、図形データ等を読出し、ＶＲＡＭ７３６を利用して画像を生成する。そして、ＶＤＰ７３２は、ＶＲＡＭ７３６に記憶された画像データを読出し、表示部７３０に、当該画像データに基づく画像を表示させる。
【０１１３】
情報処理サーバ７００は、さらに、入力部７４０を備える。
入力部７４０には、マウス７４２と、キーボード７４４とが接続されている。ユーザは、マウス７４２またはキーボード７４４を利用して、情報処理サーバ７００に指示を与える。マウス７４２またはキーボード７４４からの入力指示は、入力部７４０を介して制御部７１０へ送信される。制御部７１０は、入力部７４０からの入力指示に基づいて所定の処理を行なう。
【０１１４】
情報処理サーバ７００は、さらに、通信部７６０と、通信部７６２とを備える。
通信部７６０は、制御部７１０とデータの送受信を行なう。また、通信部７６０は、図示しない他の装置と有線または無線で、データの送受信を行なう機能を有する。なお、通信部７６０は、前述の通信部５６０と同様な構成および機能を有するので詳細な説明は繰り返さない。
【０１１５】
通信部７６２は、制御部７１０と、データの送受信を行なう。通信部７６２は、前述の通信部６６２と同様な構成および機能を有するので詳細な説明は繰り返さない。したがって、通信部７６２は、無線により、ネットワーク７０とデータ通信を行なうことができる。また、通信部７６２は、たとえば、ＬＡＮケーブルおよび通信部５０を介して、ネットワーク７０とデータ通信を行なうことができる。
【０１１６】
（管理サーバ）
図６は、管理サーバ８００Ａの内部構成を示したブロック図である。図６を参照して、管理サーバ８００Ａは、表示部８３０と、制御部８１０と、一時記憶部８２２と、記憶部８２０とを備える。
【０１１７】
表示部８３０は、文字や画像等を表示する機能を有する。表示部８３０は、前述の表示部６３０と同様なものであるので詳細な説明は繰り返さない。
【０１１８】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、その他の各種データ等が記憶されている。
【０１１９】
制御部８１０は、記憶部８２０に記憶されたプログラム１８０Ｂに従って、管理サーバ８００Ａ内の各部に対する各種処理や、演算処理等を行なう機能を有する。制御部８１０は、前述の制御部５１０と同様なものであるので詳細な説明は繰り返さない。
【０１２０】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１２１】
管理サーバ８００Ａは、さらに、ＶＤＰ８３２と、ＶＲＡＭ８３６とを備える。
ＶＲＡＭ８３６は、画像データを一時的に記憶する機能を有する。
【０１２２】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１２３】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１２４】
管理サーバ８００Ａは、さらに、入力部８４０を備える。
入力部８４０には、マウス８４２と、キーボード８４４とが接続されている。ユーザは、マウス８４２またはキーボード８４４を利用して、管理サーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１２５】
管理サーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１２６】
通信部８６２は、制御部８１０と、データの送受信を行なう。通信部８６２は、前述の通信部６６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１２７】
（テレビ電話を行なうための処理）
次に、異なる２つの宅内ネットワーク５０１にそれぞれ含まれる２台の通信端末装置６００を利用して、２人のユーザ同士でテレビ電話を行なうための処理（以下、テレビ電話処理ともいう）について説明する。
【０１２８】
本実施の形態では、一例として、宅内ネットワーク５０１．１に含まれる携帯端末装置５００のユーザと、宅内ネットワーク５０１．２に含まれる携帯端末装置５００のユーザとがテレビ電話を行なうとする。以下においては、宅内ネットワーク５０１．１に含まれる携帯端末装置５００を、携帯端末装置Ａともいう。また、宅内ネットワーク５０１．１に含まれる通信端末装置６００を、通信端末装置Ａともいう。また、宅内ネットワーク５０１．２に含まれる携帯端末装置５００を、携帯端末装置Ｂともいう。また、宅内ネットワーク５０１．２に含まれる通信端末装置６００を、通信端末装置Ｂともいう。
【０１２９】
ここで、携帯端末装置Ａには、電話会社等により、電話番号“０９０１１１０００”が割り当てられているとする。また、携帯端末装置Ｂには、電話会社等により、電話番号“０９０２２２０００”が割り当てられているとする。すなわち、携帯端末装置Ａおよび携帯端末装置Ｂの各々に割り当てられている電話番号は、携帯端末装置を特定するための識別情報となる。
【０１３０】
また、通信端末装置Ａの装置ＩＤは“１１ＴＡ”であるとする。ここで、装置ＩＤとは、装置を識別するための識別情報である。また、通信端末装置Ｂの装置ＩＤは“２２ＴＢ”であるとする。
【０１３１】
管理サーバ８００Ａは、宅内ネットワーク５０１．１，５０１．２，・・・，５０１．ｎの各々に含まれる通信端末装置６００の装置ＩＤ（たとえば、“１１ＴＡ”、“２２ＴＢ”）を管理している。すなわち、管理サーバ８００Ａの記憶部８２０には、宅内ネットワーク５０１．１，５０１．２，・・・，５０１．ｎにそれぞれ対応する複数の通信端末装置６００の装置ＩＤが記憶されている。
【０１３２】
なお、テレビ電話に使用される通信端末装置６００は、宅内ネットワーク５０１．１，５０１．２，・・・，５０１．ｎの各々に２台以上あってもよい。
【０１３３】
また、テレビ電話に使用される通信端末装置６００は、２台に限定されることなく、３台以上であってもよい。この場合、３台以上の携帯端末装置５００のそれぞれのユーザが同時にテレビ電話を行なうことになる。
【０１３４】
まず、携帯端末装置Ａと携帯端末装置Ｂとの間では、通話を行なうための処理（以下、通話処理Ｍともいう）が行なわれる。ここで、携帯端末装置Ａが、携帯端末装置Ｂに電話をかけるとする。この場合、携帯端末装置Ａは、発呼側装置となる。携帯端末装置Ｂは、被呼側装置となる。すなわち、携帯端末装置Ｂは、携帯端末装置Ａの通話対象となる装置（以下、通話対象装置ともいう）である。また、携帯端末装置Ａは、携帯端末装置Ｂの通話対象装置となる。
【０１３５】
ここで、携帯端末装置Ａの記憶部５２０には、自装置の識別情報である電話番号“０９０１１１０００”と、携帯端末装置Ｂの識別情報である電話番号“０９０２２２０００”と、テレビ電話キーワードとが記憶されているとする。また、携帯端末装置Ｂの記憶部５２０には、自装置の識別情報である電話番号“０９０２２２０００”と、テレビ電話キーワードとが記憶されているとする。ここで、テレビ電話キーワードとは、テレビ電話を行なうためのキーワードである。テレビ電話キーワードは、たとえば、“ＴＶ−ＴＥＬ−ＡＢ”であるとする。
【０１３６】
図７は、通話処理Ｍのフローチャートである。図７では、携帯端末装置Ａおよび携帯端末装置Ｂの各々において行なわれる処理を示す。携帯端末装置Ａでは、まず、ステップＳ１１０の処理が行なわれる。
【０１３７】
ステップＳ１１０では、制御部５１０が、通話開始操作Ａがあるか否かを判定する。通話開始操作Ａは、携帯端末装置Ｂに対して電話をかけるためのインターフェース操作Ｍである。ここで、通話開始操作Ａは、記憶部５２０に記憶されている複数の電話番号を表示させる処理等を行なう電話帳等のプログラムが実行されている状態で、携帯端末装置Ｂの電話番号“０９０２２２０００”をインターフェース操作Ｍにより選択した後、機能ボタン５４３Ａの短押操作を行なう操作である。
【０１３８】
なお、通話開始操作Ａは、携帯端末装置Ｂの電話番号“０９０２２２０００”を、数字ボタン群５４６の短押操作により入力した後、機能ボタン５４３Ａの短押操作を行なう操作であってもよい。ステップＳ１１０において、ＹＥＳならば、ステップＳ１１２に進む。一方、ステップＳ１１０において、ＮＯならば、再度，ステップＳ１１０の処理が行なわれる。ここでは、通話開始操作があったとして、ステップＳ１１２に進む。
【０１３９】
ステップＳ１１２では、発呼処理Ｍが行なわれる。発呼処理Ｍでは、制御部５１０が、電話をかけるための信号（以下、電話信号ともいう）を、通信部５６６を利用して、ネットワークとしての電話網６０を介して、携帯端末装置Ｂへ送信する。電話信号には、自装置（携帯端末装置Ａ）の識別情報である電話番号“０９０１１１０００”が含まれる。
【０１４０】
そして、ステップＳ１１２の処理は終了する。
携帯端末装置Ｂでは、ステップＳ１４０の処理が行なわれる。
【０１４１】
ステップＳ１４０では、制御部５１０が、電話信号を、ネットワークとしての電話網６０を介して受信したか否かを判定する。ステップＳ１４０において、ＹＥＳならば、ステップＳ１４２に進む。一方、ステップＳ１４０において、ＮＯならば、再度，ステップＳ１４０の処理が行なわれる。ここでは、電話信号を受信したとして、ステップＳ１４２に進む。
【０１４２】
ステップＳ１４２では、制御部５１０が、着信処理Ｍを実行する。着信処理Ｍは、他の処理とは独立して行なわれる処理である。そして、ステップＳ１４４に進む。
【０１４３】
着信処理Ｍは、電話信号を着信したことを携帯端末装置Ｂのユーザに知らせるための処理である。着信処理Ｍは、制御部５１０が、たとえば、図示しないスピーカーから、着信音を発生させるための処理である。なお、着信処理Ｍは、後述する通話開始操作Ｂが行なわれると終了する。
【０１４４】
ステップＳ１４４では、制御部５１０が、通話開始操作Ｂがあるか否かを判定する。ここで、通話開始操作Ｂは、機能ボタン５４３Ａの短押操作である。ステップＳ１４４において、ＹＥＳならば、ステップＳ１４６に進む。一方、ステップＳ１４４において、ＮＯならば、再度、ステップＳ１４４の処理が行なわれる。ここでは、通話開始操作Ｂがあったとして、ステップＳ１４６に進む。
【０１４５】
以上の処理により、通信端末装置Ａのユーザと、携帯端末装置Ｂのユーザとは、通話が可能となる。通信端末装置Ａのユーザと、携帯端末装置Ｂのユーザとは、たとえば、テレビ電話を開始する旨の通話を行なう。
【０１４６】
ステップＳ１４６では、制御部５１０が、通話が終了したか否かを判定する。通話が終了したと判定される場合は、通話終了操作があった場合である。通話終了操作は、通信端末装置Ａおよび携帯端末装置Ｂのいずれかにおいて行なわれる、通話を終了させるための機能ボタン５４３Ｂの短押操作である。ステップＳ１４６において、ＹＥＳならば、ステップＳ１４８に進む。一方、ステップＳ１４６において、ＮＯならば、再度、ステップＳ１４６の処理が行なわれる。ここでは、携帯端末装置Ｂにおいて、通話終了操作が行なわれ、通話が終了したとして、ステップＳ１４８に進む。
【０１４７】
ステップＳ１４８では、情報記憶処理ＭＢが行なわれる。情報記憶処理ＭＢでは、制御部５１０が、受信した電話信号に含まれる、携帯端末装置Ａの識別情報である電話番号“０９０１１１０００”と、通話終了日時とを、記憶部５２０に記憶させる。通話終了日時とは、通話が終了した日時である。通話終了日時は、一例として、“２００６年１２月２０日の１５時０分”であるとする。前述したように、テレビ電話キーワード “ＴＶ−ＴＥＬ−ＡＢ”は、ステップ１４８の前に予め記憶部５２０に記憶されているものとする。
【０１４８】
なお、携帯端末装置Ｂの記憶部５２０には、予め、携帯端末装置Ａの識別情報である電話番号“０９０１１１０００”が記憶されていてもよい。この場合、ステップＳ１４８において、携帯端末装置Ａの識別情報である電話番号“０９０１１１０００”を記憶させる処理は行なわれない。そして、ステップＳ１４９に進む。
【０１４９】
ステップＳ１４９では、制御部５１０が、テレビ電話処理Ｍを実行する。テレビ電話処理Ｍは、他の処理とは独立して行なわれる処理である。そして、通話処理Ｍにおける携帯端末装置Ｂの処理は終了する。
【０１５０】
なお、ステップＳ１４４，Ｓ１４６の処理は行なわれなくてもよい。すなわち、被呼側装置である携帯端末装置Ｂは、携帯端末装置Ａと通話を行なわなくてもよい。この場合、着信処理Ｍが所定時間（たとえば、３０秒）行なわれた後に、ステップＳ１４８の処理が行なわれる。
【０１５１】
通信端末装置Ａでは、ステップＳ１１２の処理の後、ステップＳ１１６の処理が行なわれる。
【０１５２】
ステップＳ１１６では、制御部５１０が、通話が終了したか否かを判定する。通話が終了したと判定される場合は、通話終了操作があった場合である。ステップＳ１１６の処理は、ステップＳ１４６の処理と同様なので詳細な説明は繰り返さない。ステップＳ１１６において、ＹＥＳならば、ステップＳ１１８に進む。一方、ステップＳ１１６において、ＮＯならば、再度、ステップＳ１１６の処理が行なわれる。ここでは、携帯端末装置Ｂにおいて、通話終了操作が行なわれ、通話が終了したとして、ステップＳ１１８に進む。
【０１５３】
ステップＳ１１８では、情報記憶処理ＭＡが行なわれる。情報記憶処理ＭＡでは、制御部５１０が、通話終了日時を、記憶部５２０に記憶させる。通話終了日時は、通話が終了した日時である。通話終了日時は、一例として、“２００６年１２月２０日の１５時０分”であるとする。そして、ステップＳ１１９に進む。
【０１５４】
ステップＳ１１９では、制御部５１０が、テレビ電話処理Ｍを実行する。テレビ電話処理Ｍは、他の処理とは独立して行なわれる処理である。そして、通話処理Ｍにおける通信端末装置Ａの処理は終了する。
【０１５５】
次に、テレビ電話処理について説明する。テレビ電話処理において、携帯端末装置Ａおよび携帯端末装置Ｂのいずれかで行なわれる処理は、前述のテレビ電話処理Ｍである。以下においては、テレビ電話処理において、通信端末装置Ａおよび通信端末装置Ｂのいずれかで行なわれる処理を、テレビ電話処理Ｔともいう。
【０１５６】
ここで、携帯端末装置Ａの記憶部５２０には、自装置の識別情報である電話番号“０９０１１１０００”と、携帯端末装置Ｂの識別情報である電話番号“０９０２２２０００”と、テレビ電話キーワード“ＴＶ−ＴＥＬ−ＡＢ”とが記憶されているとする。また、携帯端末装置Ａの記憶部５２０には、前述の通話処理ＭのステップＳ１１８の処理により、通話終了日時“ ２００６年１２月２０日１５時０分”が記憶されているとする。
【０１５７】
また、携帯端末装置Ｂの記憶部５２０には、自装置の識別情報である電話番号“０９０２２２０００”と、テレビ電話キーワード“ＴＶ−ＴＥＬ−ＡＢ”とが記憶されているとする。また、携帯端末装置Ｂの記憶部５２０には、前述の通話処理ＭのステップＳ１４８の処理により、携帯端末装置Ａの識別情報である電話番号“０９０１１１０００”と、通話終了日時“ ２００６年１２月２０日１５時０分”とが記憶されているとする。
【０１５８】
なお、前述の例では、通話による例を示したが、電子メールの送信によって携帯端末装置Ａの識別情報である電話番号“０９０２２２０００”を携帯端末装置Ｂに通知してもよい。
【０１５９】
前述したように、携帯端末装置Ａおよび通信端末装置Ａは、宅内ネットワーク５０１．１に含まれる。すなわち、携帯端末装置Ａは、通信端末装置Ａの近傍にある。また、携帯端末装置Ｂおよび通信端末装置Ｂは、宅内ネットワーク５０１．２に含まれる。すなわち、携帯端末装置Ｂは、通信端末装置Ｂの近傍にある。本実施の形態では、通信端末装置Ａと、通信端末装置Ｂとの間で、テレビ電話が行なわれるとする。ここで、通信端末装置Ａおよび通信端末装置Ｂの各々は、ネットワーク７０を利用したテレビ電話を行なうことを要求する装置である（以下、テレビ電話要求装置ともいう）。なお、テレビ電話は、画像および音声の情報の通信である。
【０１６０】
図８は、テレビ電話処理Ｍ、テレビ電話処理Ｔおよび管理サーバ８００Ａで行なわれる処理のフローチャートである。図８を参照して、まず、携帯端末装置Ａが行なうテレビ電話処理Ｍについて説明する。
【０１６１】
ステップＳ２１０では、通信コード生成処理Ｍが行なわれる。通信コード生成処理Ｍでは、制御部５１０が、記憶部５２０に記憶されている、自装置の識別情報である電話番号と、図７の通話処理Ｍにおいて、通話対象装置の識別情報である電話番号と、記憶部５２０に記憶されているテレビ電話キーワードと、記憶部５２０に記憶されている通話終了日時とを使用して、通信コードを生成する。そして、ステップＳ２１０の処理は終了する。
【０１６２】
ここで、自装置の識別情報である電話番号は、“０９０１１１０００”であるとする。図７の通話処理Ｍにおいて、携帯端末装置Ａの通話対象装置は、携帯端末装置Ｂであるとする。したがって、通話対象装置の識別情報である電話番号は、“０９０２２２０００”である。テレビ電話キーワードは、“ＴＶ−ＴＥＬ−ＡＢ”であるとする。通話終了日時は、“２００６年１２月２０日１５時０分”であるとする。この場合、生成される通信コードは、以下の通信コードＭＡＤ１００となる。
【０１６３】
図９は、一例としての通信コードＭＡＤ１００を示す図である。図９を参照して、通信コードＭＡＤ１００において、「携帯端末ＩＤ１」とは、自装置の識別情報である電話番号である。「携帯端末ＩＤ２」とは、通話対象装置の識別情報である電話番号である。なお、「携帯端末ＩＤ１」および「携帯端末ＩＤ２」の各々は、電話番号に限定されることなく、たとえば、装置ＩＤであってもよい。
【０１６４】
「生成日時」とは、通信コードが生成された日時である。ここで、ステップＳ２１０の処理は、図７のステップＳ１１９またはステップＳ１４９の処理が終了した時刻から、微小時間（たとえば、０．０１秒）経過後に行なわれるとする。そのため、通信コードが生成された日時は、前述の通話終了日時とほぼ等しい。したがって、「生成日時」は、前述の通話終了日時（“２００６年１２月２０日１５時０分”）とされる。
【０１６５】
「テレビ電話期限」とは、テレビ電話を行なうことが可能な期限である。「テレビ電話期限」は、「生成日時」から所定時間経過後の日時が設定される。「生成日時」が“２００６年１２月２０日１５時０分”であり、所定時間が、たとえば、３０分の場合、「テレビ電話期限」“２００６年１２月２０日１５時３０分”となる。
【０１６６】
再び、図８を参照して、通信端末装置Ａが行なうテレビ電話処理Ｔでは、ステップＳ２４０の処理が行なわれる。
【０１６７】
ステップＳ２４０では、初期画像表示処理Ｔが行なわれる。初期画像表示処理Ｔでは、制御部６１０が、ＶＤＰ６３２を利用して、以下の初期画像Ｇ１００を生成し、表示部６３０に初期画像Ｇ１００を表示させる。そして、ステップＳ２４０の処理は終了する。
【０１６８】
図１０は、表示部６３０に表示される画像を示す図である。図１０（Ａ）は、一例としての初期画像Ｇ１００を示す図である。図１０（Ａ）を参照して、初期画像Ｇ１００には、ボタン画像ＢＧ１１０が配置される。ボタン画像ＢＧ１１０は、押下処理されることにより、通信コードを登録するため処理を行なうためのボタン画像である。
【０１６９】
再び、図８を参照して、ステップＳ２４０の処理の後、ステップＳ２４１に進む。
ステップＳ２４１では、制御部６１０が、登録開始操作Ｔがあるか否かを判定する。ここで、登録開始操作Ｔは、ボタン画像ＢＧ１１０を押下処理するためのインターフェース操作Ｔである。ステップＳ２４１において、ＹＥＳならば、ステップＳ２４２に進む。一方、ステップＳ２４１において、ＮＯならば、再度、ステップＳ２４１の処理が行なわれる。ここでは、携帯端末装置Ａのユーザによる登録開始操作Ｔがあったとして、ステップＳ２４２に進む。
【０１７０】
携帯端末装置Ａでは、ステップＳ２１０の処理の後、ステップＳ２１２に進む。
ステップＳ２１２では、制御部５１０が、通信コードを、近傍の通信端末装置へ無線により送信する。ここで、携帯端末装置Ａの近傍の通信端末装置は、通信端末装置Ａである。ここで、送信される通信コードは、図９の通信コードＭＡＤ１００であるとする。したがって、通信コードＭＡＤ１００が、通信端末装置Ａへ送信される。そして、テレビ電話処理Ｍにおける携帯端末装置Ａの処理は終了する。
【０１７１】
なお、通信コードは、ステップＳ２１０の処理の後、自動的に送信されなくてもよい。この場合、たとえば、ステップＳ２１０の処理の後に、制御部５１０が、通信コードを送信するためのコード送信ボタン画像が表示された画像を、表示部５３０に表示させる。そして、コード送信ボタン画像を押下処理するためのインターフェース操作Ｍが行なわた場合、ステップＳ２１２の処理が行なわれる。
【０１７２】
通信端末装置Ａでは、ステップＳ２４１でＹＥＳと判定されると、ステップＳ２４２に進む。
【０１７３】
ステップＳ２４２では、制御部６１０が、通信コードを受信したか否かを判定する。ステップＳ２４２において、ＹＥＳならば、ステップＳ２４３に進む。一方、ステップＳ２４２において、ＮＯならば、再度、ステップＳ２４２の処理が行なわれる。ここでは、通信コードＭＡＤ１００を受信したとして、ステップＳ２４３に進む。
【０１７４】
ステップＳ２４３では、通信コード登録処理Ｔが行なわれる。通信コード登録処理Ｔでは、制御部６１０が、受信した通信コードを、記憶部６２０に記憶させる。この処理により、通信端末装置Ａの記憶部６２０には、通信コードＭＡＤ１００が記憶される。そして、制御部６１０は、ＶＤＰ６３２を利用して、以下の登録報知画像Ｇ１００Ａを生成し、登録報知画像Ｇ１００Ａを表示部６３０に表示させる。そして、ステップＳ２４３の処理は終了する。
【０１７５】
再び、図１０を参照して、図１０（Ｂ）は、一例としての登録報知画像Ｇ１００Ａを示す図である。登録報知画像Ｇ１００Ａには、通信コードが登録された旨のメッセージが表示される。
【０１７６】
再び、図８を参照して、携帯端末装置Ａは、通信コードを、通信端末装置Ａへ送信する処理（ステップＳ２１２）の代わりに、以下の処理ＭＡを行なってもよい。
【０１７７】
処理ＭＡでは、携帯端末装置Ａが、表示部５３０に、ＱＲ（Quick Response）コード（登録商標）を表示させる。表示部５３０に表示されたＱＲコード（登録商標）は、通信コードＭＡＤ１００が示す情報を示すコードであるとする。携帯端末装置Ａのユーザは、ＱＲコード（登録商標）が表示された表示部５３０を、通信端末装置Ａの撮像部６７８が撮像可能なように、通信端末装置Ａの撮像部６７８に近づける。
【０１７８】
通信端末装置Ａでは、ステップＳ２４２の代わりに、撮像部６７８が、表示部５３０に表示されたＱＲコード（登録商標）を撮像し、撮像した撮像画像データを、制御部６１０へ送信する。そして、制御部６１０は、撮像画像データを受信することにより、通信コードＭＡＤ１００が示す情報を取得する。そして、制御部６１０は、ステップＳ２４３の代わりに、取得した情報を、記憶部６２０に記憶させる処理を行なう。そして、制御部６１０は、登録報知画像Ｇ１００Ａを、表示部６３０に表示させる。
【０１７９】
ステップＳ２４３の処理の後、ステップＳ２４４に進む。
ステップＳ２４４では、制御部６１０が、テレビ電話を行なうことを要求するためのテレビ電話要求データを、ネットワーク７０を介して、管理サーバ８００Ａへ送信する。送信されるテレビ電話要求データには、自装置の装置ＩＤと、自装置のネットワークアドレスと、通信コードとが含まれる。すなわち、テレビ電話要求データを送信する装置は、前述したテレビ電話要求装置である。そして、ステップＳ２４４の処理は終了する。
【０１８０】
ここで、ステップＳ２４４の処理を行なっている装置は、通信端末装置Ａである。この場合、テレビ電話要求データに含まれる自装置の装置ＩＤは、“１１ＴＡ”となる。また、テレビ電話要求データに含まれる自装置のネットワークアドレスは、ステップＳ２４４の処理が行なわれる時点において、自装置（通信端末装置Ａ）に割り当てられているネットワークアドレスである。当該ネットワークアドレスは、たとえば、ＩＰ（Internet Protocol）アドレスである。テレビ電話要求データに含まれる通信コードは、通信コードＭＡＤ１００であるとする。したがって、送信されるテレビ電話要求データは、以下のテレビ電話要求データＴＡＤ２００となる。
【０１８１】
図１１は、一例としてのテレビ電話要求データＴＡＤ２００を示す図である。図１１を参照して、テレビ電話要求データＴＡＤ２００は、図９の通信コードＭＡＤ１００と比較して、「通信端末ＩＤ」および「通信端末アドレス」の情報が追加されている点が異なる。それ以外は、通信コードＭＡＤ１００と同様なので詳細な説明は繰り返さない。「通信端末ＩＤ」とは、自装置（通信端末装置Ａ）の装置ＩＤ“１１ＴＡ”である。
【０１８２】
「通信端末アドレス」とは、ステップＳ２４４の処理が行なわれる時点において、自装置（通信端末装置Ａ）に割り当てられているネットワークアドレスである。当該ネットワークアドレスは、たとえば、ＩＰアドレスである。
【０１８３】
再び、図８を参照して、管理サーバ８００Ａでは、まず、ステップＳ２８１の処理が行なわれる。
【０１８４】
ステップＳ２８１では、制御部８１０が、テレビ電話要求データを受信したか否かを判定する。ステップＳ２８１において、ＹＥＳならば、ステップＳ２８２に進む。一方、ステップＳ２８１において、ＮＯならば、再度、ステップＳ２８１の処理が行なわれる。ここでは、テレビ電話要求データＴＡＤ２００を受信したとして、ステップＳ２８２に進む。
【０１８５】
ステップＳ２８２では、制御部８１０が、受信したテレビ電話要求データを記憶部８２０に記憶させる。この処理により、記憶部８２０には、テレビ電話要求データＴＡＤ２００が記憶される。そして、ステップＳ２８３に進む。
【０１８６】
ステップＳ２８３では、互いにテレビ電話を行なう少なくとも２台のテレビ電話要求装置（以下、相互テレビ電話要求装置ともいう）の特定が終了されたか否かが制御部８１０により判定される。前述したように、テレビ電話要求装置は、ネットワーク７０を利用したテレビ電話を行なうことを要求する装置である。ステップＳ２８３において、ＹＥＳならば、後述するステップＳ２８５に進む。一方、ステップＳ２８３において、ＮＯならば、ステップＳ２８４に進む。
【０１８７】
相互テレビ電話要求装置の特定方法は、まず、制御部８１０が、記憶部８２０に複数のテレビ電話要求データが記憶されているか否かを判定する。複数のテレビ電話要求データが記憶されてない場合は、相互テレビ電話要求装置の特定は終了しない。ここでは、記憶部８２０に１つのテレビ電話要求データＴＡＤ２００が記憶されているとする。この場合、相互テレビ電話要求装置の特定は終了したことにならず、ステップＳ２８３において、ＮＯと判定され、ステップＳ２８４に進む。なお、記憶部８２０に複数のテレビ電話要求データが記憶されている場合の処理は後述する。
【０１８８】
以下においては、テレビ電話要求装置が、テレビ電話を行なうために通信対象となる装置を、通信対象装置ともいう。ここで、テレビ電話要求装置が送信したテレビ電話要求データに含まれる通信コードにおいて、携帯端末ＩＤ１に対応する識別情報と、携帯端末ＩＤ２に対応する識別情報とが入れ替わった通信コードは、通信対象装置のテレビ電話要求データに含まれる通信コード（以下、通信対象通信コードともいう）となる。
【０１８９】
ここで、テレビ電話要求データを送信したテレビ電話要求装置は、通信端末装置Ａであるとする。この場合、通信端末装置Ａがテレビ電話を行なために通信対象となる装置は、通信端末装置Ｂである。したがって、通信端末装置Ｂは、通信対象装置である。
【０１９０】
通信端末装置Ａが送信したテレビ電話要求データが、図１１のテレビ電話要求データＴＡＤ２００である場合、通信対象装置である通信端末装置Ｂのテレビ電話要求データに含まれる通信コード（通信対象通信コード）は、テレビ電話要求データＴＡＤ２００に含まれる通信コードＭＡＤ１００において、携帯端末ＩＤ１に対応する識別情報と、携帯端末ＩＤ２に対応する識別情報とが入れ替わった通信コードである。すなわち、通信対象通信コードは、携帯端末ＩＤ１に対応する識別情報が、“０９０２２２０００”であり、携帯端末ＩＤ２に対応する識別情報が、０９０１１１０００”である通信コードである。したがって、この時点では、通信対象装置である通信端末装置Ｂのテレビ電話要求データに含まれる通信対象通信コードは記憶部８２０に記憶されていない。すなわち、通信対象装置の通信対象通信コードは、管理サーバ８００Ａに登録されてない。
【０１９１】
ステップＳ２８４では、制御部８１０が、未登録通知を、ステップＳ２８１で受信したと判定されたテレビ電話要求データを送信した装置へ送信する。未登録通知は、通信対象装置の通信対象通信コードが、登録されてない旨の通知である。すなわち、通信対象通信コードが、記憶部８２０に記憶されてない旨の通知である。ここで、テレビ電話要求データを送信した装置は、通信端末装置Ａである。したがって、未登録通知は、通信端末装置Ａへ送信される。そして、ステップＳ２８４の処理は終了し、再度、ステップＳ２８１の処理が行なわれる。
【０１９２】
通信端末装置Ａでは、ステップＳ２４４の処理の後，ステップＳ２４５に進む。
ステップＳ２４５では、通知受信待機処理Ｔが行なわれる。通知受信待機処理Ｔでは、制御部６１０が、所定時間、管理サーバ８００Ａからの通知を受信するために待機する。所定時間は、たとえば、１分である。
【０１９３】
ここで、所定時間内に、管理サーバ８００Ａから未登録通知を受信したとする。この場合、制御部６１０は、ＶＤＰ６３２を利用して、以下の登録待機画像Ｇ１００Ｂを生成し、登録待機画像Ｇ１００Ｂを、表示部６３０に表示させる。なお、所定時間経過すると、ステップＳ２４５の処理は終了する。
【０１９４】
図１２は、表示部６３０に表示される画像を示す図である。図１２（Ａ）は、一例としての登録待機画像Ｇ１００Ｂを示す図である。図１２（Ａ）を参照して、登録待機画像Ｇ１００Ｂには、通信対象装置の登録を待っている旨のメッセージが表示される。
【０１９５】
次に、携帯端末装置Ｂが行なうテレビ電話処理Ｍについて説明する。
再び、図８を参照して、ステップＳ２１０では、前述したのと同様な処理が行なわれるので詳細な説明は繰り返さない。ここで、自装置の識別情報である電話番号は、“０９０２２２０００”であるとする。図７の通話処理Ｍにおいて、携帯端末装置Ｂの通話対象装置は、携帯端末装置Ａであるとする。したがって、通話対象装置の識別情報である電話番号は、“０９０１１１０００”である。テレビ電話キーワードは、“ＴＶ−ＴＥＬ−ＡＢ”であるとする。通話終了日時は、“２００６年１２月２０日１５時０分”であるとする。この場合、生成される通信コードは、以下の通信コードＭＢＤ１００となる。
【０１９６】
図１３は、一例としての通信コードＭＢＤ１００を示す図である。図１３を参照して、通信コードＭＢＤ１００は、図９の通信コードＭＡＤ１００と比較して、「携帯端末ＩＤ１」および「携帯端末ＩＤ２」が異なる。それ以外は、通信コードＭＡＤ１００と同様なので詳細な説明は繰り返さない。
【０１９７】
「携帯端末ＩＤ１」は、前述したように、自装置の識別情報である電話番号である。「携帯端末ＩＤ２」は、前述したように、通話対象装置の識別情報である電話番号である。
【０１９８】
再び、図８を参照して、通信端末装置Ｂが行なうテレビ電話処理Ｔでは、ステップＳ２４０の処理が行なわれる。
【０１９９】
ステップＳ２４０では、前述したのと同様な処理が行なわれるので詳細な説明は繰り返さない。この処理により、通信端末装置Ｂの表示部６３０に、図１０（Ａ）の初期画像Ｇ１００が表示される。
【０２００】
ステップＳ２４１では、前述したのと同様な処理が行なわれるので詳細な説明は繰り返さない。ここでは、携帯端末装置Ｂのユーザによる登録開始操作Ｔがあったとして、ステップＳ２４２に進む。
【０２０１】
携帯端末装置Ｂでは、ステップＳ２１０の処理の後、ステップＳ２１２に進む。
ステップＳ２１２では、前述したのと同様な処理が行なわれるので詳細な説明は繰り返さない。この処理により、図１３の通信コードＭＢＤ１００が、通信端末装置Ｂへ送信される。そして、テレビ電話処理Ｍにおける携帯端末装置Ｂの処理は終了する。
【０２０２】
なお、通信コードは、ステップＳ２１０の処理の後、自動的に送信されなくてもよい。この場合、たとえば、ステップＳ２１０の処理の後に、制御部５１０が、通信コードを送信するためのコード送信ボタン画像が表示された画像を、表示部５３０に表示させる。そして、コード送信ボタン画像を押下処理するためのインターフェース操作Ｍが行なわた場合、ステップＳ２１２の処理が行なわれる。
【０２０３】
通信端末装置Ｂでは、ステップＳ２４１でＹＥＳと判定されると、ステップＳ２４２に進む。
【０２０４】
ステップＳ２４２では、前述したのと同様な処理が行なわれるので詳細な説明は繰り返さない。ここでは、図１３の通信コードＭＢＤ１００を受信したとして、ステップＳ２４３に進む。
【０２０５】
ステップＳ２４３では、前述したのと同様な処理が行なわれるので詳細な説明は繰り返さない。この処理により、通信端末装置Ｂの記憶部６２０には、通信コードＭＢＤ１００が記憶される。そして、表示部６３０には、図１０（Ｂ）の登録報知画像Ｇ１００Ａが表示される。そして、ステップＳ２４３の処理は終了する。
【０２０６】
再び、図８を参照して、携帯端末装置Ｂは、通信コードを、通信端末装置Ｂへ送信する処理（ステップＳ２１２）の代わりに、以下の処理ＭＢを行なってもよい。
【０２０７】
処理ＭＢでは、携帯端末装置Ｂが、表示部５３０に、ＱＲコード（登録商標）を表示させる。表示部５３０に表示されたＱＲコード（登録商標）は、通信コードＭＢＤ１００が示す情報を示すコードであるとする。携帯端末装置Ｂのユーザは、ＱＲコード（登録商標）が表示された表示部５３０を、通信端末装置Ｂの撮像部６７８が撮像可能なように、通信端末装置Ｂの撮像部６７８に近づける。
【０２０８】
通信端末装置Ｂでは、ステップＳ２４２の代わりに、撮像部６７８が、表示部５３０に表示されたＱＲコード（登録商標）を撮像し、撮像した撮像画像データを、制御部６１０へ送信する。そして、制御部６１０は、撮像画像データを受信することにより、通信コードＭＢＤ１００が示す情報を取得する。そして、制御部６１０は、ステップＳ２４３の代わりに、取得した情報を、記憶部６２０に記憶させる処理を行なう。そして、制御部６１０は、登録報知画像Ｇ１００Ａを、表示部６３０に表示させる。
【０２０９】
ステップＳ２４４では、前述したのと同様な処理が行なわれるので詳細な説明は繰り返さない。この処理により、テレビ電話を行なうために必要なテレビ電話要求データが、管理サーバ８００Ａへ送信される。送信されるテレビ電話要求データには、自装置の装置ＩＤと、自装置のネットワークアドレスと、通信コードとが含まれる。
【０２１０】
ここで、ステップＳ２４４の処理を行なっている装置は、通信端末装置Ｂである。すなわち、通信端末装置Ｂは、前述したテレビ電話要求装置である。この場合、テレビ電話要求データに含まれる自装置の装置ＩＤは、“２２ＴＢ”となる。また、テレビ電話要求データに含まれる自装置のネットワークアドレスは、ステップＳ２４４の処理が行なわれる時点において、自装置（通信端末装置Ｂ）に割り当てられているネットワークアドレスである。当該ネットワークアドレスは、たとえば、ＩＰアドレスである。テレビ電話要求データに含まれる通信コードは、通信コードＭＢＤ１００であるとする。したがって、送信されるテレビ電話要求データは、以下のテレビ電話要求データＴＢＤ２００となる。
【０２１１】
図１４は、一例としてのテレビ電話要求データＴＢＤ２００を示す図である。図１４を参照して、テレビ電話要求データＴＢＤ２００は、図１３の通信コードＭＢＤ１００と比較して、「通信端末ＩＤ」および「通信端末アドレス」の情報が追加されている点が異なる。それ以外は、通信コードＭＢＤ１００と同様なので詳細な説明は繰り返さない。「通信端末ＩＤ」とは、自装置（通信端末装置Ｂ）の装置ＩＤ“２２ＴＢ”である。
【０２１２】
「通信端末アドレス」とは、ステップＳ２４４の処理が行なわれる時点において、自装置（通信端末装置Ｂ）に割り当てられているネットワークアドレスである。当該ネットワークアドレスは、たとえば、ＩＰアドレスである。
【０２１３】
再び、図８を参照して、管理サーバ８００Ａでは、ステップＳ２８１の処理が行なわれる。
【０２１４】
ステップＳ２８１では、前述したのと同様な処理が行なわれるので詳細な説明は繰り返さない。ここでは、テレビ電話要求データＴＢＤ２００を受信したとして、ステップＳ２８２に進む。
【０２１５】
ステップＳ２８２では、前述したのと同様な処理が行なわれるので詳細な説明は繰り返さない。この処理により、記憶部８２０には、テレビ電話要求データＴＢＤ２００が記憶される。そして、ステップＳ２８３に進む。
【０２１６】
ステップＳ２８３では、前述したのと同様な処理が行なわれる。具体的には、制御部８１０が、記憶部８２０に複数のテレビ電話要求データが記憶されているか否かを判定する。ここで、記憶部８２０にテレビ電話要求データＴＡＤ２００およびテレビ電話要求データＴＢＤ２００が記憶されているとする。この場合、記憶部８２０に複数のテレビ電話要求データが記憶されていると判定される。
【０２１７】
そして、制御部８１０は、複数のテレビ電話要求データのうちの１つのテレビ電話要求データに含まれる通信コードと、当該通信コードにおいて、携帯端末ＩＤ１に対応する識別情報と、携帯端末ＩＤ２に対応する識別情報とが入れ替わった通信コード（通信対象通信コード）が記憶部８２０に記憶されているか否かを判定する。通信対象通信コードが記憶部８２０に記憶されていないと判定された場合、相互テレビ電話要求装置の特定は終了したことにならず、ステップＳ２８３において、ＮＯと判定され、ステップＳ２８４に進む。
【０２１８】
ここで、記憶部８２０にテレビ電話要求データＴＡＤ２００およびテレビ電話要求データＴＢＤ２００が記憶されているとする。この場合、テレビ電話要求データＴＡＤ２００に含まれる通信コードＭＡＤ１００において、携帯端末ＩＤ１に対応する識別情報と、携帯端末ＩＤ２に対応する識別情報とが入れ替わった通信コードは、テレビ電話要求データＴＢＤ２００に含まれる通信コードＭＢＤ１００である。
【０２１９】
この場合、通信対象通信コードが記憶部８２０に記憶されていると判定される。この場合、制御部８１０は、テレビ電話要求データＴＡＤ２００を送信した通信端末装置Ａおよびテレビ電話要求データＴＢＤ２００を送信した通信端末装置Ｂを、相互テレビ電話要求装置と特定する。すなわち、テレビ電話要求データＴＡＤ２００およびテレビ電話要求データＴＢＤ２００にそれぞれ含まれる通信コードＭＡＤ１００および通信コードＭＢＤ１００の各々に含まれる２つの識別情報（携帯端末ＩＤ１の示す電話番号および携帯端末ＩＤ２の示す電話番号）に基づいて、２台の相互テレビ電話要求装置が特定される。
【０２２０】
これにより、相互テレビ電話要求装置の特定は終了したことになり、ステップＳ２８３において、ＹＥＳと判定され、ステップＳ２８５に進む。
【０２２１】
以下においては、相互テレビ電話要求装置と特定された２台の通信端末装置の各々が送信したテレビ電話要求データを、通信確立必要データともいう。したがって、通信端末装置Ａおよび通信端末装置Ｂがそれぞれ送信した、テレビ電話要求データＴＡＤ２００およびテレビ電話要求データＴＢＤ２００の各々は、通信確立必要データである。通信確立必要データである、テレビ電話要求データＴＡＤ２００およびテレビ電話要求データＴＢＤ２００は、記憶部８２０に対応付けられて記憶される。
【０２２２】
ステップＳ２８５では、認証が成功か否かが判定される。具体的には、制御部８１０が、記憶部８２０に対応づけて記憶されている、２つの通信確立必要データの各々が示す「テレビ電話キーワード」が一致し、かつ、現在の時刻が、２つの通信確立必要データのいずれかが示す「テレビ電話期限」より前の時刻である否かを判定する。ステップＳ２８５において、ＹＥＳならば、後述するステップＳ２８７に進む。一方、ステップＳ２８５において、ＮＯならば、ステップＳ２８６に進む。ここでは、仮に、２つの通信確立必要データの各々が示す「テレビ電話キーワード」が一致しないとして、ステップＳ２８６に進む。
【０２２３】
ステップＳ２８６では、制御部８１０が、認証失敗通知を、２つの通信確立必要データがそれぞれ示す２つの通信端末ＩＤによりそれぞれ特定される２つの通信端末装置へ送信する。ここで、認証失敗通知は、認証が失敗した旨の通知である。ここで、認証失敗通知は、通信端末装置Ａおよび通信端末装置Ｂの各々へ送信されるとする。そして、再度、ステップＳ２８１の処理が行なわれる。
【０２２４】
ここで、通信端末装置Ａでは、ステップＳ２４５の処理が行なわれているとする。
ステップＳ２４５では、前述した処理が行なわれるので詳細な説明は繰り返さない。ここで、所定時間内に、認証失敗通知を受信したとする。この場合、制御部６１０は、ＶＤＰ６３２を利用して、以下の認証失敗画像Ｇ１００Ｃを生成し、認証失敗画像Ｇ１００Ｃを、表示部６３０に表示させる。また、所定時間内に、認証失敗通知を受信した場合、所定時間（たとえば、１０秒）、認証失敗画像Ｇ１００Ｃの表示が行なわれた後、ステップＳ２４６に進む。
【０２２５】
再び、図１２を参照して、図１２（Ｂ）は、一例としての認証失敗画像Ｇ１００Ｃを示す図である。図１２（Ｂ）を参照して、認証失敗画像Ｇ１００Ｃには、自装置のキーワードと、通信対象装置のキーワードとが一致しなかった旨のメッセージと、通信処理を終了する旨のメッセージとが表示される。
【０２２６】
再び、図８を参照して、前述したように、ステップＳ２４５の処理において、所定時間内に、認証失敗通知を受信した場合、所定時間（たとえば、１０秒）、認証失敗画像Ｇ１００Ｃの表示が行なわれた後、ステップＳ２４６に進む。
【０２２７】
ステップＳ２４６では、制御部８１０が、認証失敗通知を受信したか否かを判定する。ステップＳ２４６において、ＹＥＳならば、再度、ステップＳ２４０の処理が行なわれる。一方、ステップＳ２４６において、ＮＯならば、後述するステップＳ２４７に進む。ここでは、認証失敗通知を受信したとして、再度、ステップＳ２４０の処理が行なわれる。
【０２２８】
通信端末装置Ｂへ認証失敗通知が送信された場合の通信端末装置Ｂにおける処理は、前述した通信端末装置ＡのステップＳ２４５の処理において、認証失敗通知を受信してからの処理と同様なので詳細な説明は繰り返さない。
【０２２９】
次に、ステップＳ２８５の処理において、判定の対象となる２つの通信確立必要データが、テレビ電話要求データＴＡＤ２００およびテレビ電話要求データＴＢＤ２００であり、ステップＳ２８５の処理が行なわれる時点における現在の時刻が、たとえば、“２００６年１２月２０日１５時０５分”である場合の処理について説明する。
【０２３０】
この場合、テレビ電話要求データＴＡＤ２００およびテレビ電話要求データＴＢＤ２００の各々が示す「テレビ電話キーワード」は、“ＴＶ−ＴＥＬ−ＡＢ”であり一致する。また、ステップＳ２８５の処理が行なわれる時点における現在の時刻“２００６年１２月２０日１５時０５分”は、テレビ電話要求データＴＡＤ２００およびテレビ電話要求データＴＢＤ２００のいずれかが示す「テレビ電話期限」（“２００６年１２月２０日１５時３０分”）より前の時刻である。この場合、ステップＳ２８５において、ＹＥＳと判定されて、ステップＳ２８７に進む。
【０２３１】
ステップＳ２８７では、制御部８１０が、認証成功通知を、２つの通信確立必要データがそれぞれ示す２つの通信端末ＩＤによりそれぞれ特定される２つの通信端末装置（相互テレビ電話要求装置）へ送信する。ここで、認証成功通知は、認証が成功した旨の通知である。
【０２３２】
ここで、２つの通信確立必要データは、テレビ電話要求データＴＡＤ２００およびテレビ電話要求データＴＢＤ２００である。したがって、テレビ電話要求データＴＡＤ２００およびテレビ電話要求データＴＢＤ２００がそれぞれ示す通信端末ＩＤ“１１ＴＡ”および通信端末ＩＤ“２２ＴＢ”によりそれぞれ特定される２つの通信端末装置は、通信端末装置Ａおよび通信端末装置Ｂである。したがって、相互テレビ電話要求装置である、通信端末装置Ａおよび通信端末装置Ｂの各々へ、認証成功通知が送信される。そして、管理サーバ８００Ａにおける処理は終了する。
【０２３３】
通信端末装置Ａに送信される認証成功通知には、通信端末装置Ａの通信対象となる通信端末装置ＢのＩＰアドレス“２２２．２２２．２．２”が含まれる。また、通信端末装置Ｂに送信される認証成功通知には、通信端末装置Ｂの通信対象となる通信端末装置ＡのＩＰアドレス“１１１．１１１．１．１”が含まれる。
【０２３４】
次に、ステップＳ２８７の処理により、相互テレビ電話要求装置である、通信端末装置Ａおよび通信端末装置Ｂの各々へ、認証成功通知が送信された場合の通信端末装置Ａの処理について説明する。
【０２３５】
ここで、通信端末装置Ａでは、ステップＳ２４５の処理が行なわれているとする。
ステップＳ２４５では、前述した処理が行なわれるので詳細な説明は繰り返さない。ここで、所定時間内に、通信端末装置ＢのＩＰアドレス“２２２．２２２．２．２”を含む認証成功通知を受信したとする。この場合、制御部６１０は、受信した認証成功通知に含まれるＩＰアドレス“２２２．２２２．２．２”を、記憶部６２０に記憶させる。そして制御部６１０は、ＶＤＰ６３２を利用して、以下の認証成功画像Ｇ１００Ｄを生成し、認証成功画像Ｇ１００Ｄを、表示部６３０に表示させる。また、所定時間内に、認証成功通知を受信した場合、所定時間（たとえば、１０秒）、認証成功画像Ｇ１００Ｄの表示が行なわれた後、ステップＳ２４６に進む。
【０２３６】
図１５は、一例としての認証成功画像Ｇ１００Ｄを示す図である。図１５を参照して、認証成功画像Ｇ１００Ｄには、認証が成功した旨のメッセージと、通信処理を開始する旨のメッセージとが表示される。
【０２３７】
再び、図８を参照して、前述したように、ステップＳ２４５の処理において、認証成功通知を受信した場合、所定時間（たとえば、１０秒）、認証成功画像Ｇ１００Ｄの表示が行なわれた後、ステップＳ２４６に進む。
【０２３８】
ステップＳ２４６では、前述したのと同様な処理が行なわれるので詳細な説明は繰り返さない。ここでは、認証失敗通知を受信していないとして、ステップＳ２４７に進む。
【０２３９】
ステップＳ２４７では、制御部８１０が、認証成功通知を受信したか否かを判定する。ステップＳ２４７において、ＹＥＳならば、ステップＳ２４８に進む。一方、ステップＳ２４７において、ＮＯならば、再度、ステップＳ２４０の処理が行なわれる。ここでは、通信端末装置ＢのＩＰアドレス“２２２．２２２．２．２”を含む認証成功通知を受信したとして、ステップＳ２４８に進む。
【０２４０】
ステップＳ２４８では、テレビ電話画像表示処理Ｔが行なわれる。テレビ電話画像表示処理Ｔでは、制御部６１０が、ＶＤＰ６３２を利用して、以下のテレビ電話画像Ｇ２００を生成し、表示部６３０にテレビ電話画像Ｇ２００を表示させる。そして、ステップＳ２４８の処理は終了する。
【０２４１】
図１６は、一例としてのテレビ電話画像Ｇ２００を示す図である。図１６を参照して、テレビ電話画像Ｇ２００には、状態表示画像Ｇ２０５と、通信対象装置撮像画像Ｇ２１０と、自装置撮像画像Ｇ２２０と、ボタン画像ＢＧ２５０，ＢＧ２９０とが配置される。
【０２４２】
状態表示画像Ｇ２０５は、自装置と通信対象装置との通信状態を示す画像である。自装置と通信対象装置とがデータ通信可能な場合、オンラインと表示される。自装置と通信対象装置とがデータ通信不能な場合、オフラインと表示される。
【０２４３】
通信対象装置撮像画像Ｇ２１０には、通信対象装置の撮像部６７８が撮像処理することにより撮像した画像が表示される。自装置撮像画像Ｇ２２０には、自装置の撮像部６７８が撮像処理することにより撮像した画像が表示される。
【０２４４】
ボタン画像ＢＧ２５０は、押下処理されることにより、後述する清算の処理を行なうためのボタン画像である。ボタン画像ＢＧ２９０は、押下処理されることにより、通信対象装置との通信を終了するためのボタン画像である。
【０２４５】
ここで、ステップＳ２４８の処理を行なっている装置は、通信端末装置Ａであるとする。この場合、前述した図１６のテレビ電話画像Ｇ２００の説明における自装置は、通信端末装置Ａとなる。また、前述したテレビ電話画像Ｇ２００の説明における通信対象装置は、通信端末装置Ｂとなる。
【０２４６】
次に、前述したステップＳ２８７の処理により、相互テレビ電話要求装置である、通信端末装置Ａおよび通信端末装置Ｂの各々へ、認証成功通知が送信された場合の通信端末装置Ｂの処理について説明する。前述したように、通信端末装置Ｂに送信される認証成功通知には、通信対象となる通信端末装置ＡのＩＰアドレス“１１１．１１１．１．１”が含まれる。
【０２４７】
ここで、通信端末装置Ｂでは、ステップＳ２４５の処理が行なわれているとする。
ステップＳ２４５では、前述した処理が行なわれるので詳細な説明は繰り返さない。ここで、所定時間内に、通信端末装置ＡのＩＰアドレス“１１１．１１１．１．１”を含む認証成功通知を受信したとする。この場合、制御部６１０は、受信した認証成功通知に含まれるＩＰアドレス“１１１．１１１．１．１”を、記憶部６２０に記憶させる。そして、制御部６１０は、ＶＤＰ６３２を利用して、図１５の認証成功画像Ｇ１００Ｄを生成し、認証成功画像Ｇ１００Ｄを、表示部６３０に表示させる。また、所定時間内に、認証成功通知を受信した場合、所定時間（たとえば、１０秒）、認証成功画像Ｇ１００Ｄの表示が行なわれた後、ステップＳ２４６に進む。
【０２４８】
ステップＳ２４６では、前述したのと同様な処理が行なわれるので詳細な説明は繰り返さない。ここでは、認証失敗通知を受信していないとして、ステップＳ２４７に進む。
【０２４９】
ステップＳ２４７では、前述したのと同様な処理が行なわれるので詳細な説明は繰り返さない。ここでは、通信端末装置ＡのＩＰアドレス“１１１．１１１．１．１”を含む認証成功通知を受信したとして、ステップＳ２４８に進む。
【０２５０】
ステップＳ２４８では、前述したのと同様な処理が行なわれるので詳細な説明は繰り返さない。この処理により、通信端末装置Ｂの表示部６３０に、図１６のテレビ電話画像Ｇ２００が表示される。この場合、前述した図１６のテレビ電話画像Ｇ２００の説明における自装置は、通信端末装置Ｂとなる。また、前述したテレビ電話画像Ｇ２００の説明における通信対象装置は、通信端末装置Ａとなる。
【０２５１】
通信端末装置Ａおよび通信端末装置Ｂの各々では、ステップＳ２４８の処理の後、ステップＳ２４９に進む。
【０２５２】
ステップＳ２４９では、通信処理Ｔが行なわれる。通信処理Ｔでは、制御部６１０が、自装置の撮像部６７８が撮像処理することにより得られた撮像画像データを、ネットワーク７０を介して、記憶部６２０に記憶されているＩＰアドレスにより特定される通信対象装置へ送信する処理を所定時間（たとえば、１／３０秒）毎に繰返し行なう。
【０２５３】
また、制御部６１０は、自装置の撮像部６７８が撮像処理することにより得られた撮像画像データを、ＶＤＰ６３２を利用して、自装置の表示部６３０に表示されている図１６の自装置撮像画像Ｇ２２０を、撮像画像データに基づく画像に変更する処理を所定時間（たとえば、１／３０秒）毎に繰返し行なう。
【０２５４】
また、通信処理Ｔでは、制御部６１０が、自装置を操作しているユーザが声を発すると、音声入力部６７４が、当該発せられた声に基づく音声データを、ネットワーク７０を介して、記憶部６２０に記憶されているＩＰアドレスにより特定される通信対象装置へ送信する。
【０２５５】
また、通信処理Ｔでは、制御部６１０が、通信終了操作があった場合、通信処理Ｔを終了させる。ここで、通信終了操作は、ボタン画像ＢＧ２９０を押下処理するためのインターフェース操作Ｔである。
【０２５６】
ここで、通信端末装置ＡがステップＳ２４９の処理を行なっている場合の処理について説明する。この場合、制御部６１０が、自装置（通信端末装置Ａ）の撮像部６７８が撮像処理することにより得られた撮像画像データを、ネットワーク７０を介して、記憶部６２０に記憶されているＩＰアドレス“２２２．２２２．２．２”により特定される通信対象装置である通信端末装置Ｂへ送信する処理を所定時間（たとえば、１／３０秒）毎に繰返し行なう。
【０２５７】
通信端末装置Ｂでは、制御部６１０が、撮像画像データを受信する毎に、ＶＤＰ６３２を利用して、自装置（通信端末装置Ｂ）の表示部６３０に表示されている図１６の通信対象装置撮像画像Ｇ２１０を、受信した撮像画像データに基づく画像に変更する。制御部６１０が、たとえば、１／３０秒毎に、撮像画像データを受信した場合、通信対象装置撮像画像Ｇ２１０は、１／３０秒毎に変化する動画像となる。すなわち、当該動画像は、１秒間に３０フレームを表示する動画像となる。
【０２５８】
また、制御部６１０は、自装置（通信端末装置Ａ）の撮像部６７８が撮像処理することにより得られた撮像画像データを、ＶＤＰ６３２を利用して、自装置（通信端末装置Ａ）の表示部６３０に表示されている図１６の自装置撮像画像Ｇ２２０を、撮像画像データに基づく画像に変更する処理を所定時間（たとえば、１／３０秒）毎に繰返し行なう。この処理により、自装置撮像画像Ｇ２２０は、１／３０秒毎に変化する動画像となる。すなわち、当該動画像は、１秒間に３０フレームを表示する動画像となる。
【０２５９】
また、通信端末装置Ａを操作しているユーザが声を発すると、音声入力部６７４が、当該発せられた声に基づく音声データを、ネットワーク７０を介して、記憶部６２０に記憶されているＩＰアドレス“２２２．２２２．２．２”により特定される通信対象装置である通信端末装置Ｂへ送信する。
【０２６０】
通信端末装置Ｂでは、制御部６１０が音声データを受信すると、制御部６１０は、受信した音声データを音声出力部６７０へ送信する。音声出力部６７０は、受信した音声データに基づく音声をスピーカから出力する。
【０２６１】
また、通信端末装置Ａを操作しているユーザが、前述の通信終了操作を行なった場合、制御部６１０は、通信処理Ｔを終了させる。これにより、通信端末装置Ｂとのテレビ電話は終了する。
【０２６２】
なお、通信端末装置ＢがステップＳ２４９の処理を行なっている場合の処理は、前述した通信端末装置ＡがステップＳ２４９の処理を行なっている場合の処理と同様なので詳細な説明は繰り返さない。
【０２６３】
以上説明した通信処理Ｔが、相互テレビ電話要求装置である、通信端末装置Ａおよび通信端末装置Ｂの各々で行なわれることにより、通信端末装置Ａと通信端末装置Ｂとの間で、テレビ電話を行なうことが可能となる。
【０２６４】
以上説明したように、本実施の形態では、携帯端末装置Ａおよび携帯端末装置Ｂの各々が、自装置の識別情報である電話番号と、通話対象装置の識別情報である電話番号と、テレビ電話キーワードと、テレビ電話期限とを含む通信コードを生成する。そして、携帯端末装置Ａは、生成した通信コードＭＡＤ１００を、通信端末装置Ａへ送信する。携帯端末装置Ｂは、生成した通信コードＭＢＤ１００を、通信端末装置Ｂへ送信する。
【０２６５】
通信端末装置Ａは、携帯端末装置Ａが生成した通信コードＭＡＤ１００を取得する。通信端末装置Ｂは、携帯端末装置Ｂが生成した通信コードＭＢＤ１００を取得する。
【０２６６】
通信端末装置Ａは、自装置の装置ＩＤと、自装置のネットワークアドレスと、取得した通信コードＭＡＤ１００とを含むテレビ電話要求データＴＡＤ２００を、ネットワーク７０を介して、管理サーバ８００Ａへ送信する。通信端末装置Ｂは、自装置の装置ＩＤと、自装置のネットワークアドレスと、取得した通信コードＭＢＤ１００とを含むテレビ電話要求データＴＢＤ２００を、ネットワーク７０を介して、管理サーバ８００Ａへ送信する。
【０２６７】
管理サーバ８００Ａは、通信端末装置Ａが送信したテレビ電話要求データＴＡＤ２００と、通信端末装置Ｂが送信したテレビ電話要求データＴＢＤ２００とを受信する。そして、管理サーバ８００Ａは、テレビ電話要求データＴＡＤ２００およびテレビ電話要求データＴＢＤ２００に基づいて、相互テレビ電話要求装置の特定を行なう。
【０２６８】
相互テレビ電話要求装置の特定は、複数のテレビ電話要求データのうちの１つのテレビ電話要求データに含まれる通信コードと、当該通信コードにおいて、携帯端末ＩＤ１に対応する識別情報（電話番号）と、携帯端末ＩＤ２に対応する識別情報（電話番号）とが入れ替わった通信コード（通信対象通信コード）が記憶部８２０に記憶されているか否かという簡単な判定により行なわれる。したがって、管理サーバ８００Ａは、容易に、相互テレビ電話要求装置を特定できる。
【０２６９】
本実施の形態では、テレビ電話要求データＴＡＤ２００に含まれる通信コードＭＡＤ１００において、携帯端末ＩＤ１に対応する識別情報（電話番号）と、携帯端末ＩＤ２に対応する識別情報（電話番号）とが入れ替わった通信コード（通信対象通信コード）は、テレビ電話要求データＴＢＤ２００に含まれる通信コードＭＢＤ１００である。そのため、制御部８１０は、テレビ電話要求データＴＡＤ２００を送信した通信端末装置Ａおよびテレビ電話要求データＴＢＤ２００を送信した通信端末装置Ｂを、相互テレビ電話要求装置と特定する。
【０２７０】
すなわち、テレビ電話要求データＴＡＤ２００およびテレビ電話要求データＴＢＤ２００にそれぞれ含まれる通信コードＭＡＤ１００および通信コードＭＢＤ１００の各々に含まれる２つの識別情報（携帯端末ＩＤ１の示す電話番号および携帯端末ＩＤ２の示す電話番号）に基づいて、２台の相互テレビ電話要求装置が特定される。
【０２７１】
そして、管理サーバ８００Ａは、テレビ電話要求データＴＡＤ２００およびテレビ電話要求データＴＢＤ２００の各々が示す「テレビ電話キーワード」が一致し、かつ、現在の時刻が、テレビ電話要求データＴＡＤ２００およびテレビ電話要求データＴＢＤ２００のいずれかが示す「テレビ電話期限」より前の時刻である否かを判定することにより、認証成功であるか否かを判定する。
【０２７２】
そして、管理サーバ８００Ａは、認証成功である場合にのみ、相互テレビ電話要求装置である通信端末装置Ａへ、通信端末装置Ｂのネットワークアドレスを含む認証成功通知を通知し、かつ、相互テレビ電話要求装置である通信端末装置Ｂへ、通信端末装置Ａのネットワークアドレスを含む認証成功通知を通知する。
【０２７３】
以上の処理により、相互テレビ電話要求装置である、通信端末装置Ａおよび通信端末装置Ｂの各々は、電話網６０を利用することなく、１つのネットワーク７０を介して、テレビ電話を行なうことが可能となる。
【０２７４】
したがって、テレビ電話を行なう際において、ネットワークを効率よく利用した通信を行なうことができるという効果を奏する。
【０２７５】
また、本実施の形態においては、携帯端末装置Ａが、携帯端末装置Ｂに電話をかけるといった簡単な操作で、携帯端末装置Ａおよび携帯端末装置Ｂの各々が、通信コードを生成し、当該生成した通信コードを、対応する通信端末装置へ送信する。
【０２７６】
そして、通信端末装置Ａおよび通信端末装置Ｂの各々で、自装置のネットワークアドレスと、通信コードとを含むデータを、管理サーバ８００Ａへ送信する処理が行なわれることにより、通信端末装置Ａと通信端末装置Ｂとの間で、テレビ電話を行なうことが可能となる。したがって、複雑な操作をすることなく、容易に、テレビ電話を行なうことができるという効果を奏する。
【０２７７】
また、本実施の形態においては、携帯端末装置５００に設けられる撮像部５７８を使用しなくても、テレビ電話を行なうことができる。すなわち、本実施の形態においては、高価なカメラ付の携帯端末装置でなく、通話機能のみを有する安価な携帯端末装置を使用して、テレビ電話を行なうことができる。また、テレビ電話に使用される通信端末装置６００は、特別なハード構成を有しない一般的なディスプレイ一体型ＰＣである。したがって、安価なシステムで、テレビ電話を行なうとこができるという効果を奏する。
【０２７８】
また、「テレビ電話キーワード」および「テレビ電話期限」を使用して認証を行なうことにより、意図しない複数の通信端末装置間が通信可能となるのを防ぐことができる。
【０２７９】
（料金の精算を行なうための処理）
次に、料金の精算を行なうための処理について説明する。ここで、清算される料金は、たとえば、飲食代、チケットの料金等である。
【０２８０】
以下においては、宅内ネットワーク５０１．１に含まれる情報処理サーバ７００を、情報処理サーバＡともいう。また、宅内ネットワーク５０１．２に含まれる情報処理サーバ７００を、情報処理サーバＢともいう。情報処理サーバＡおよび情報処理サーバＢの各々は、料金の精算処理等を行なうサーバである。
【０２８１】
ここで、通信端末装置Ａおよび情報処理サーバＡを含む宅内ネットワーク５０１．１および通信端末装置Ｂおよび情報処理サーバＢを含む宅内ネットワーク５０１．２の各々は、たとえば、店内のネットワークであるとする。ここで、店は、たとえば、飲食店である。通信端末装置Ａおよび情報処理サーバＡは、同一の店（以下、店Ａともいう）内に設置されているとする。通信端末装置Ｂおよび情報処理サーバＢは、同一の店（以下、店Ｂともいう）内に設置されているとする。以下においては、店Ａ内にいるユーザ（客）を、ユーザＡともいう。ユーザＡは、通信端末装置Ａのユーザである。また、店Ｂ内にいるユーザ（客）を、ユーザＢともいう。ユーザＢは、通信端末装置Ｂのユーザである。
【０２８２】
本実施の形態では、一例として、宅内ネットワーク５０１．１に含まれる通信端末装置ＡのユーザＡおよび宅内ネットワーク５０１．２に含まれる通信端末装置ＢのユーザＢが、それぞれ、通信端末装置Ａおよび通信端末装置Ｂを利用して、テレビ電話を行なうとする。
【０２８３】
ここで、通信端末装置Ａおよび通信端末装置Ｂの各々では、前述のステップＳ２４９の通信処理Ｔが行なわれることにより、ユーザＡおよびユーザＢによりテレビ電話が行なわれているとする。通信端末装置Ａおよび通信端末装置Ｂの各々の表示部６３０には、図１６のテレビ電話画像Ｇ２００が表示されているとする。
【０２８４】
次に、店Ａにおいて、ユーザＡが通信端末装置Ａを操作することにより、ユーザＡが店Ａに対して支払うべき料金と、ユーザＢが店Ｂに対して支払うべき料金とを、まとめて、店Ａで清算するための処理（以下、清算処理ともいう）について説明する。以下においては、店Ａ内に設置された通信端末装置Ａで行なわれる清算処理を清算処理ＴＡともいう。また、店Ａ内に設置された情報処理サーバＡで行なわれる清算処理を清算処理ＳＡともいう。また、店Ｂ内に設置された情報処理サーバＢで行なわれる清算処理を清算処理ＳＢともいう。
【０２８５】
ここで、情報処理サーバＡは、店Ａの店員が、ユーザ（客）が注文した飲食代等の料金を図示しない端末に入力することで、当該端末に入力された料金の情報（以下、飲食料金情報ＳＡともいう）を、端末から無線通信により受信し、記憶部７２０に記憶して管理しているとする。また、情報処理サーバＡは、通信端末装置Ａと通信を行なうことにより、通信端末装置Ａで行なわれているテレビ電話の使用料金の情報（以下、テレビ電話使用料金情報ＴＡともいう）も記憶部７２０に記憶して管理している。また、情報処理サーバＡは、店Ａ内に設置された、図示されないレジスターＡと通信可能となっている。
【０２８６】
また、情報処理サーバＢは、店Ｂの店員が、ユーザ（客）が注文した飲食代等の料金を図示しない端末に入力することで、当該端末に入力された料金の情報（以下、飲食料金情報ＳＢともいう）を、端末から無線通信により受信し、記憶部７２０に記憶して管理しているとする。また、情報処理サーバＢは、通信端末装置Ｂと通信を行なうことにより、通信端末装置Ｂで行なわれているテレビ電話の使用料金の情報（以下、テレビ電話使用料金情報ＴＢともいう）も記憶部７２０に記憶して管理している。また、情報処理サーバＢは、店Ｂ内に設置された、図示されないレジスターＢと通信可能となっている。
【０２８７】
図１７は、清算処理ＳＡ、清算処理ＴＡおよび清算処理ＳＢのフローチャートである。図１７を参照して、通信端末装置Ａが行なう清算処理ＴＡでは、まず、ステップＳ３４１の処理が行なわれる。
【０２８８】
ステップＳ３４１では、制御部６１０が、清算操作Ｔがあるか否かを判定する。清算操作Ｔとは、表示部６３０に表示されている図１６のテレビ電話画像Ｇ２００のボタン画像ＢＧ２５０を押下処理するためのインターフェース操作Ｔである。ステップＳ３４１において、ＹＥＳならば、ステップＳ３４２に進む。一方、ステップＳ３４１において、ＮＯならば、再度、ステップＳ３４１の処理が行なわれる。ここでは、清算操作Ｔがあったとして、ステップＳ３４２に進む。
【０２８９】
ステップＳ３４２では、制御部６１０が、料金取得要求ＴＡを、情報処理サーバＡへ送信する。料金取得要求ＴＡは、通信端末装置Ａを操作しているユーザＡが店Ａに対して支払う料金を取得するための要求である。そして、ステップＳ３４３に進む。
【０２９０】
ステップＳ３４３では、料金取得要求ＴＢを、情報処理サーバＢへ送信する。料金取得要求ＴＢは、通信端末装置Ｂを操作しているユーザＢが店Ｂに対して支払う料金を取得するための要求である。そして、ステップＳ３４３の処理は終了する。
【０２９１】
情報処理サーバＡが行なう清算処理ＳＡでは、ステップＳ３７１の処理が行なわれる。
ステップＳ３７１では、制御部７１０が、料金取得要求ＴＡを受信したか否かを判定する。ステップＳ３７１において、ＹＥＳならば、ステップＳ３７２に進む。一方、ステップＳ３７１において、ＮＯならば、再度、ステップＳ３７１の処理が行なわれる。ここでは、料金取得要求ＴＡを受信したとして、ステップＳ３７２に進む。
【０２９２】
ステップＳ３７２では、制御部７１０が、料金情報ＳＡを、通信端末装置Ａへ送信する。料金情報ＳＡは、通信端末装置Ａを操作しているユーザＡが店Ａに対して支払う料金である。料金情報ＳＡには、記憶部７２０に記憶されている、飲食料金情報ＳＡと、テレビ電話使用料金情報ＴＡとを含む。ここで、飲食料金情報ＳＡおよびテレビ電話使用料金情報ＴＡの各々は、ユーザＡが店Ａに対して支払う料金であるとする。そして、ステップＳ３７２の処理は終了する。
【０２９３】
通信端末装置Ａでは、ステップＳ３４３の処理の後、ステップＳ３４４に進む。
ステップＳ３４４では、料金情報受信処理Ｔが行なわれる。料金情報受信処理Ｔでは、制御部６１０が、情報処理サーバＡおよび情報処理サーバＢの各々から料金情報を受信する処理を行なう。
【０２９４】
制御部６１０は、料金情報ＳＡを受信すると、受信した料金情報ＳＡを、記憶部６２０に記憶させる。ステップＳ３４４の処理は、情報処理サーバＡおよび情報処理サーバＢの各々からの料金情報の受信が完了するまで行なわれる。
【０２９５】
情報処理サーバＢが行なう清算処理ＳＢでは、ステップＳ３８１の処理が行なわれる。
ステップＳ３８１では、制御部７１０が、料金取得要求ＴＢを受信したか否かを判定する。ステップＳ３８１において、ＹＥＳならば、ステップＳ３８２に進む。一方、ステップＳ３８１において、ＮＯならば、再度、ステップＳ３８１の処理が行なわれる。ここでは、料金取得要求ＴＢを受信したとして、ステップＳ３８２に進む。
【０２９６】
ステップＳ３８２では、制御部７１０が、料金情報ＳＢを、通信端末装置Ａへ送信する。料金情報ＳＢは、通信端末装置Ｂを操作しているユーザＢが店Ｂに対して支払う料金である。料金情報ＳＢには、記憶部７２０に記憶されている、飲食料金情報ＳＢと、テレビ電話使用料金情報ＴＢとを含む。ここで、飲食料金情報ＳＢおよびテレビ電話使用料金情報ＴＢの各々は、ユーザＢが店Ｂに対して支払う料金であるとする。そして、ステップＳ３８２の処理は終了する。
【０２９７】
通信端末装置Ａが行なう清算処理ＴＡでは、ステップＳ３４４の処理において、制御部６１０が、料金情報ＳＢを受信し、受信した料金情報ＳＢを、記憶部６２０に記憶させる。これにより、情報処理サーバＡおよび情報処理サーバＢの各々からの料金情報の受信が完了したので、ステップＳ３４５の処理に進む。
【０２９８】
ステップＳ３４５では、料金表示処理Ｔが行なわれる。料金表示処理Ｔでは、制御部６１０が、ＶＤＰ６３２を利用して、受信した料金情報ＳＡおよび料金情報ＳＢを示す、以下の料金表示画像Ｇ３００を生成し、料金表示画像Ｇ３００を、表示部６３０に表示させる。そして、ステップＳ３４５の処理は終了する。
【０２９９】
図１８は、一例としての料金表示画像Ｇ３００を示す図である。図１８を参照して、料金表示画像Ｇ３００には、料金明細表示画像Ｇ３１０と、料金明細表示画像Ｇ３２０と、ボタン画像ＢＧ３６０，ＢＧ３７０とが配置される。
【０３００】
料金明細表示画像Ｇ３１０は、ユーザＡが店Ａに対して支払う料金情報ＳＡの情報を示す画像である。料金明細表示画像Ｇ３１０では、一例として、ユーザＡが店Ａに対して支払う料金の合計（以下、合計料金Ａともいう）が、６５０円であることを示す。
【０３０１】
料金明細表示画像Ｇ３２０は、ユーザＢが店Ｂに対して支払う料金情報ＳＢの情報を示す画像である。一例として、ユーザＢが店Ｂに対して支払う料金の合計（以下、合計料金Ｂともいう）が、５００円であることを示す。
【０３０２】
ボタン画像ＢＧ３６０は、ユーザＡが支払う料金のみを精算するための処理を行なうためのボタン画像である。ボタン画像ＢＧ３７０は、合計料金Ａおよび合計料金Ｂを、まとめて精算するための処理を行なうためのボタン画像である。
【０３０３】
再び、図１７を参照して、ステップＳ３４５の処理の後、ステップＳ３４６に進む。
ステップＳ３４６では、制御部６１０が、合算清算操作Ｔがあったか否かを判定する。合算清算操作Ｔは、ボタン画像ＢＧ３７０を押下処理するためのインターフェース操作Ｔである。ステップＳ３４６において、ＹＥＳならば、ステップＳ３４７に進む。一方、ステップＳ３４６において、ＮＯならば、後述するステップＳ３５０に進む。ここでは、合算清算操作Ｔがあったとして、ステップＳ３４７に進む。
【０３０４】
ステップＳ３４７では、制御部６１０が、合算清算通知ＴＢを、情報処理サーバＢへ送信する。合算清算通知ＴＢは、通信端末装置Ｂを操作しているユーザＢが店Ｂに対して支払う料金（合計料金Ｂ）が０円になった旨の通知である。そして、ステップＳ３４８に進む。
【０３０５】
ステップＳ３４８では、制御部６１０が、合算清算通知ＴＡを、情報処理サーバＡへ送信する。合算清算通知ＴＡは、合計料金Ａと、合計料金Ｂとを加算した料金（以下、合算合計料金Ａともいう）の情報を含む。合計料金Ａが６５０円であり、合計料金Ｂが５００円である場合、合算合計料金Ａは、１１５０円となる。そして、この清算処理ＴＡは終了する。
【０３０６】
情報処理サーバＢが行なう清算処理ＳＢでは、ステップＳ３８２の処理の後、ステップＳ３８４に進む。
【０３０７】
ステップＳ３８４では、制御部７１０が、合算清算通知ＴＢを受信したか否かを判定する。ステップＳ３８４において、ＹＥＳならば、ステップＳ３８５に進む。一方、ステップＳ３８４において、ＮＯならば、再度、ステップＳ３８４の処理が行なわれる。ここでは、合算清算通知ＴＢを受信したとして、ステップＳ３８５に進む。
【０３０８】
ステップＳ３８５では、清算確定処理ＳＢが行なわれる。清算確定処理ＳＢでは、制御部７１０が、清算終了通知ＳＢを、通信端末装置Ｂへ送信する。清算終了通知ＳＢは、合計料金Ｂが０円になった旨の通知である。
【０３０９】
この場合、通信端末装置Ｂでは、制御部６１０が、清算終了通知ＳＢを受信し、ＶＤＰ６３２を利用して、ユーザＢが店Ｂに支払う料金は、ユーザＡが支払うことになった旨のメッセージを表示した画像を生成し、表示部６３０に生成した画像を表示させる。これにより、ユーザＢは、自分が店Ｂに支払う料金がなくなったこと知ることができる。
【０３１０】
また、清算確定処理ＳＢでは、制御部６１０が、清算終了通知ＳＢを、レジスターＢへ送信する。これにより、レジスターＢでは、合計料金Ｂの清算が完了する。そして、清算処理ＳＢは終了する。
【０３１１】
情報処理サーバＡが行なう清算処理ＳＡでは、ステップＳ３７２の処理の後、ステップＳ３７４に進む。
【０３１２】
ステップＳ３７４では、制御部７１０が、合算清算通知ＴＡを受信したか否かを判定する。ステップＳ３７４において、ＹＥＳならば、ステップＳ３７８に進む。一方、ステップＳ３７４において、ＮＯならば、後述するステップＳ３７５に進む。ここでは、合算清算通知ＴＡを受信したとして、ステップＳ３７８に進む。
【０３１３】
ステップＳ３７８では、清算料金記憶処理Ａが行なわれる。清算料金記憶処理Ａでは、制御部７１０が、受信した通知に応じた処理を行なう。
【０３１４】
合算清算通知ＴＡを受信した場合、制御部７１０は、合算清算通知ＴＡに含まれる合算合計料金Ａ（１１５０円）の情報を、記憶部７２０に記憶させる。そして、清算処理ＳＡは終了する。
【０３１５】
この場合、ユーザＡが合算合計料金Ａの清算を行なう場合、店員の操作に応じてレジスターＡは、情報処理サーバＡに、合算合計料金Ａを問合せる。これにより、レジスターＡは、合算合計料金Ａを特定することができる。したがって、ユーザＡは、レジスターＡを操作する店員に、合算合計料金Ａを支払うことで、清算が完了する。
【０３１６】
通信端末装置Ａが行なう清算処理ＴＡでは、前述のステップＳ３４６において、ＮＯならば、ステップＳ３５０に進む。
【０３１７】
ステップＳ３５０では、制御部６１０が、個別清算操作Ｔがあったか否かを判定する。個別清算操作Ｔは、ボタン画像ＢＧ３６０を押下処理するためのインターフェース操作Ｔである。ステップＳ３５０において、ＹＥＳならば、ステップＳ３５２に進む。一方、ステップＳ３５０において、ＮＯならば、再度、ステップＳ３４６の処理が行なわれる。ここでは、個別清算操作Ｔがあったとして、ステップＳ３５２に進む。
【０３１８】
ステップＳ３５２では、制御部６１０が、個別清算通知ＴＡを、情報処理サーバＡへ送信する。個別清算通知ＴＡは、合計料金Ａの情報を含む。合計料金Ａは６５０円である。そして、この清算処理ＴＡは終了する。
【０３１９】
情報処理サーバＡが行なう清算処理ＳＡでは、前述のステップＳ３７４において、ＮＯならば、ステップＳ３７５に進む。
【０３２０】
ステップＳ３７５では、制御部７１０が、個別清算通知ＴＡを受信したか否かを判定する。ステップＳ３７５において、ＹＥＳならば、ステップＳ３７８に進む。一方、ステップＳ３７５において、ＮＯならば、再度、ステップＳ３７４の処理が行なわれる。ここでは、個別清算通知ＴＡを受信したとして、ステップＳ３７８に進む。
【０３２１】
ステップＳ３７８では、前述した、清算料金記憶処理Ａが行なわれる。清算料金記憶処理Ａでは、制御部７１０が、受信した通知に応じた処理を行なう。
【０３２２】
個別清算通知ＴＡを受信した場合、制御部７１０は、個別清算通知ＴＡに含まれる合計料金Ａ（６５０円）の情報を、記憶部７２０に記憶させる。そして、清算処理ＳＡは終了する。
【０３２３】
この場合、ユーザＡが合計料金Ａの清算を行なう場合、店員の操作に応じてレジスターＡは、情報処理サーバＡに、合計料金Ａを問合せる。これにより、レジスターＡは、合計料金Ａを特定することができる。したがって、ユーザＡは、レジスターＡを操作する店員に、合計料金Ａを支払うことで、清算が完了する。
【０３２４】
以上説明した図１７の処理が行なわれることにより、通信端末装置Ａおよび通信端末装置Ｂのいずれか一方で、自分の料金と、相手側の料金との清算を行なうことができる。したがって、料金清算の利便性を向上させることができるという効果を奏する。
【０３２５】
＜第２の実施の形態＞
第１の実施の形態では、管理サーバ８００Ａを使用して、テレビ電話を行なう処理について説明した。本実施の形態では、管理サーバ８００Ａを使用せずにテレビ電話を行なう処理について説明する。
【０３２６】
図１９は、本実施の形態におけるネットワークシステム１０００Ａの構成を示す図である。図１９を参照して、ネットワークシステム１０００Ａは、図１のネットワークシステム１０００と比較して、管理サーバ８００Ａの代わりにＤＤＮＳ（Dynamic Domain Name System）サーバ９００が含まれる点が異なる。それ以外は、ネットワークシステム１０００と同様なので詳細な説明は繰り返さない。
【０３２７】
ＤＤＮＳサーバ９００は、動的に割り当てられるＩＰアドレスと、当該ＩＰアドレスに対応するドメイン名とを、動的に登録および管理する機能を有する。ＤＤＮＳサーバ９００は、ネットワーク７０とデータ通信が可能である。
【０３２８】
なお、携帯端末装置５００、通信端末装置６００および情報処理サーバ７００の各々の構成は、第１の実施の形態において、説明した構成と同様なので詳細な説明は繰り返さない。
【０３２９】
なお、宅内ネットワーク５０１．１，５０１．２，・・・，５０１．ｎの各々には、情報処理サーバ７００が含まれなくてもよい。この場合、宅内ネットワーク５０１．１，５０１．２，・・・，５０１．ｎの各々に含まれる通信部５０はなくてもよい。通信部５０がない場合、宅内ネットワーク５０１．１，５０１．２，・・・，５０１．ｎの各々に含まれる通信端末装置６００は、ネットワーク７０と直接データ通信を行なう。すなわち、通信部５０はなくてもよい。
【０３３０】
（テレビ電話を行なうための処理）
次に、異なる２つの宅内ネットワーク５０１にそれぞれ含まれる２台の通信端末装置６００を利用して、２人のユーザ同士でテレビ電話を行なうための処理（以下、テレビ電話処理ともいう）について説明する。
【０３３１】
本実施の形態では、一例として、宅内ネットワーク５０１．１に含まれる携帯端末装置５００のユーザと、宅内ネットワーク５０１．２に含まれる携帯端末装置５００のユーザとがテレビ電話を行なうとする。第１の実施の形態と同様、宅内ネットワーク５０１．１に含まれる携帯端末装置５００を、携帯端末装置Ａともいう。また、宅内ネットワーク５０１．１に含まれる通信端末装置６００を、通信端末装置Ａともいう。また、宅内ネットワーク５０１．２に含まれる携帯端末装置５００を、携帯端末装置Ｂともいう。また、宅内ネットワーク５０１．２に含まれる通信端末装置６００を、通信端末装置Ｂともいう。
【０３３２】
第１の実施の形態と同様、携帯端末装置Ａには、電話会社等により、電話番号“０９０１１１０００”が割り当てられているとする。また、携帯端末装置Ｂには、電話会社等により、電話番号“０９０２２２０００”が割り当てられているとする。すなわち、携帯端末装置Ａおよび携帯端末装置Ｂの各々に割り当てられている電話番号は、携帯端末装置を特定するための識別情報となる。
【０３３３】
また、通信端末装置Ａの装置ＩＤは“１１ＴＡ”であるとする。また、通信端末装置Ｂの装置ＩＤは“２２ＴＢ”であるとする。
【０３３４】
なお、テレビ電話に使用される通信端末装置６００は、宅内ネットワーク５０１．１，５０１．２，・・・，５０１．ｎの各々に２台以上あってもよい。
【０３３５】
なお、テレビ電話に使用される通信端末装置６００は、２台に限定されることなく、３台以上であってもよい。この場合、３台以上の携帯端末装置５００のそれぞれのユーザが同時にテレビ電話を行なうことになる。
【０３３６】
まず、携帯端末装置Ａと携帯端末装置Ｂとの間では、携帯端末装置Ａおよび携帯端末装置Ｂの各々において、図７の通話処理Ｍが行なわれる。ここで、携帯端末装置Ａの記憶部５２０には、自装置の識別情報である電話番号“０９０１１１０００”と、携帯端末装置Ｂの識別情報である電話番号“０９０２２２０００”と、テレビ電話キーワード“ＴＶ−ＴＥＬ−ＡＢ”とが記憶されているとする。また、携帯端末装置Ｂの記憶部５２０には、自装置の識別情報である電話番号“０９０２２２０００”とが記憶されているとする。
【０３３７】
通話処理Ｍは、第１の実施の形態と同様なので詳細な説明は繰り返さない。通話処理Ｍにより、携帯端末装置Ａの記憶部５２０には、通話終了日時が記憶される。通話終了日時は、一例として、“２００６年１２月２０日の１５時０分”であるとする。
【０３３８】
ここで、携帯端末装置Ｂの記憶部５２０には、テレビ電話キーワード“ＴＶ−ＴＥＬ−ＡＢ”が記憶されているとする。また、通話処理Ｍにより、携帯端末装置Ｂの記憶部５２０には、携帯端末装置Ａの識別情報である電話番号“０９０１１１０００”と、通話終了日時とが記憶される。通話終了日時は、一例として、“２００６年１２月２０日の１５時０分”であるとする。
【０３３９】
また、通話処理Ｍにより、携帯端末装置Ａおよび携帯端末装置Ｂの各々において、前述したテレビ電話処理Ｍが実行される。
【０３４０】
次に、携帯端末装置Ａおよび携帯端末装置Ｂの各々で行なわれるテレビ電話処理Ｍについて説明する。
【０３４１】
図２０は、テレビ電話処理Ｍおよび通信端末装置（通信端末装置Ａおよび通信端末装置Ｂのいずれか）で行なわれる処理のフローチャートである。図２０を参照して、図８と同じステップ番号の処理は、第１の実施の形態で説明した図８の処理と同様な処理が行なわれるので詳細な説明は繰り返さない。
【０３４２】
まず、携帯端末装置Ａが行なうテレビ電話処理Ｍについて説明する。
ステップＳ２１０では、第１の実施の形態で説明した処理と同様な処理が行なわれるので詳細な説明は繰り返さない。この処理により、図９の通信コードＭＡＤ１００が生成される。
【０３４３】
再び、図２０を参照して、通信端末装置Ａでは、ステップＳ２４０の処理が行なわれる。
【０３４４】
ステップＳ２４０では、第１の実施の形態で説明した処理と同様な処理が行なわれるので詳細な説明は繰り返さない。この処理により、通信端末装置Ａの表示部６３０に、図１０（Ａ）の初期画像Ｇ１００が表示される。
【０３４５】
ステップＳ２４１では、第１の実施の形態で説明した処理と同様な処理が行なわれるので詳細な説明は繰り返さない。ここでは、通信端末装置Ａのユーザによる登録開始操作Ｔがあったとして、ステップＳ２４２に進む。
【０３４６】
携帯端末装置Ａでは、ステップＳ２１０の処理の後、ステップＳ２１２に進む。
ステップＳ２１２では、第１の実施の形態で説明した処理と同様な処理が行なわれるので詳細な説明は繰り返さない。この処理により、図９の通信コードＭＡＤ１００が、通信端末装置Ａへ送信される。そして、テレビ電話処理Ｍにおける通信端末装置Ａの処理は終了する。
【０３４７】
なお、通信コードは、ステップＳ２１０の処理の後、自動的に送信されなくてもよい。この場合、たとえば、ステップＳ２１０の処理の後に、制御部５１０が、通信コードを送信するためのコード送信ボタン画像が表示された画像を、表示部５３０に表示させる。そして、コード送信ボタン画像を押下処理するためのインターフェース操作Ｍが行なわた場合、ステップＳ２１２の処理が行なわれる。
【０３４８】
通信端末装置Ａでは、ステップＳ２４１でＹＥＳと判定されると、ステップＳ２４２に進む。
【０３４９】
ステップＳ２４２では、第１の実施の形態で説明した処理と同様な処理が行なわれるので詳細な説明は繰り返さない。ここでは、通信コードＭＡＤ１００を受信したとして、ステップＳ２４３に進む。
【０３５０】
ステップＳ２４３では、第１の実施の形態で説明した処理と同様な処理が行なわれるので詳細な説明は繰り返さない。この処理により、通信端末装置Ａの記憶部６２０には、通信コードＭＡＤ１００が記憶される。そして、表示部６３０には、図１０（Ｂ）の登録報知画像Ｇ１００Ａが表示される。そして、通信端末装置Ａの処理は終了する。
【０３５１】
なお、携帯端末装置Ａは、通信コードを、通信端末装置Ａへ送信する処理（ステップＳ２１２）の代わりに、前述した処理ＭＡを行なってもよい。この場合、前述したように、携帯端末装置Ａのユーザは、通信コードＭＡＤ１００が示す情報を示すＱＲコード（登録商標）が表示された表示部５３０を、通信端末装置Ａの撮像部６７８が撮像可能なように、通信端末装置Ａの撮像部６７８に近づける。通信端末装置Ａでは、ステップＳ２４２の代わりに、撮像部６７８が、表示部５３０に表示されたＱＲコード（登録商標）を撮像することにより、制御部６１０は、通信コードＭＡＤ１００が示す情報を取得する。そして、制御部６１０は、ステップＳ２４３の代わりに、取得した情報を、記憶部６２０に記憶させる処理を行なう。そして、制御部６１０は、登録報知画像Ｇ１００Ａを、表示部６３０に表示させる。
【０３５２】
次に、携帯端末装置Ｂが行なうテレビ電話処理Ｍについて説明する。
ステップＳ２１０では、第１の実施の形態で説明した処理と同様な処理が行なわれるので詳細な説明は繰り返さない。この処理により、図１３の通信コードＭＢＤ１００が生成される。
【０３５３】
再び、図２０を参照して、通信端末装置Ｂが行なうテレビ電話処理Ｔでは、ステップＳ２４０の処理が行なわれる。
【０３５４】
ステップＳ２４０では、第１の実施の形態で説明した処理と同様な処理が行なわれるので詳細な説明は繰り返さない。この処理により、通信端末装置Ｂの表示部６３０に、図１０（Ａ）の初期画像Ｇ１００が表示される。
【０３５５】
ステップＳ２４１では、第１の実施の形態で説明した処理と同様な処理が行なわれるので詳細な説明は繰り返さない。ここでは、携帯端末装置Ｂのユーザによる登録開始操作Ｔがあったとして、ステップＳ２４２に進む。
【０３５６】
携帯端末装置Ｂでは、ステップＳ２１０の処理の後、ステップＳ２１２に進む。
ステップＳ２１２では、第１の実施の形態で説明した処理と同様な処理が行なわれるので詳細な説明は繰り返さない。この処理により、図１３の通信コードＭＢＤ１００が、通信端末装置Ｂへ送信される。そして、テレビ電話処理Ｍにおける携帯端末装置Ｂの処理は終了する。
【０３５７】
なお、通信コードは、ステップＳ２１０の処理の後、自動的に送信されなくてもよい。この場合、たとえば、ステップＳ２１０の処理の後に、制御部５１０が、通信コードを送信するためのコード送信ボタン画像が表示された画像を、表示部５３０に表示させる。そして、コード送信ボタン画像を押下処理するためのインターフェース操作Ｍが行なわた場合、ステップＳ２１２の処理が行なわれる。
【０３５８】
通信端末装置Ｂでは、ステップＳ２４１でＹＥＳと判定されると、ステップＳ２４２に進む。
【０３５９】
ステップＳ２４２では、第１の実施の形態で説明した処理と同様な処理が行なわれるので詳細な説明は繰り返さない。ここでは、図１３の通信コードＭＢＤ１００を受信したとして、ステップＳ２４３に進む。
【０３６０】
ステップＳ２４３では、第１の実施の形態で説明した処理と同様な処理が行なわれるので詳細な説明は繰り返さない。この処理により、通信端末装置Ｂの記憶部６２０には、通信コードＭＢＤ１００が記憶される。そして、表示部６３０には、図１０（Ｂ）の登録報知画像Ｇ１００Ａが表示される。そして、通信端末装置Ｂの処理は終了する。
【０３６１】
なお、携帯端末装置Ｂは、通信コードを、通信端末装置Ｂへ送信する処理（ステップＳ２１２）の代わりに、前述した処理ＭＢを行なってもよい。この場合、前述したように、携帯端末装置Ｂのユーザは、通信コードＭＢＤ１００が示す情報を示すＱＲコード（登録商標）が表示された表示部５３０を、通信端末装置Ｂの撮像部６７８が撮像可能なように、通信端末装置Ｂの撮像部６７８に近づける。通信端末装置Ｂでは、ステップＳ２４２の代わりに、撮像部６７８が、表示部５３０に表示されたＱＲコード（登録商標）を撮像することにより、制御部６１０は、通信コードＭＢＤ１００が示す情報を取得する。そして、制御部６１０は、ステップＳ２４３の代わりに、取得した情報を、記憶部６２０に記憶させる処理を行なう。そして、制御部６１０は、登録報知画像Ｇ１００Ａを、表示部６３０に表示させる。
【０３６２】
（通信対象装置に対するサーバとなるための処理）
次に、通信端末装置Ａと、通信端末装置Ｂとの間で、テレビ電話を行なうために、通信端末装置Ｂが、通信端末装置Ａに対するサーバとなり、通信端末装置Ａが、通信端末装置Ｂのクライアントとなるための処理について説明する。
【０３６３】
まず、通信端末装置Ｂでは、自装置（通信端末装置Ｂ）が通信端末装置Ａに対するサーバとなるための処理（以下、サーバ登録処理ＴＢともいう）について説明する。ここで、通信端末装置Ｂには、ドメイン名“ｂｂｂ．ｃｏ．ｊｐ”が設定されているとする。
【０３６４】
また、通信端末装置Ａの記憶部６２０には、予め、通信端末装置Ｂのドメイン名“ｂｂｂ．ｃｏ．ｊｐ”が記憶されているとする。また、通信端末装置Ａの記憶部６２０には、前述の図２０のステップＳ２４３の処理により、さらに、図９の通信コードＭＡＤ１００が記憶されている。
【０３６５】
通信端末装置Ｂの記憶部６２０には、予め、自装置のドメイン名“ｂｂｂ．ｃｏ．ｊｐ”が記憶されているとする。また、通信端末装置Ｂの記憶部６２０には、前述の図２０のステップＳ２４３の処理により、さらに、図１３の通信コードＭＢＤ１００が記憶されている。ここで、通信端末装置Ｂには、ＩＰアドレス“２２２．２２２．２．２”が設定されているとする。
【０３６６】
図２１は、サーバ登録処理ＴＢおよびＤＤＮＳサーバ９００で行なわれる処理のフローチャートである。図２１を参照して、通信端末装置Ｂが行なうサーバ登録処理ＴＢでは、まず、ステップＳ４４２の処理が行なわれる。
【０３６７】
ステップＳ４４２では、識別情報包含ドメイン名生成処理ＴＢが行なわれる。ここで、識別情報包含ドメイン名とは、自装置のドメイン名“ｂｂｂ．ｃｏ．ｊｐ”に、自装置である通信端末装置Ｂに通信コードを与えた携帯端末装置Ｂ（以下、コード供与携帯端末装置ともいう）の識別情報を追加したドメイン名である。コード供与携帯端末装置（携帯端末装置Ｂ）の識別情報は、記憶部６２０に記憶されている図１３の通信コードＭＢＤ１００の携帯端末ＩＤ１が示す電話番号“０９０２２２０００”である。
【０３６８】
具体的に、識別情報包含ドメイン名生成処理ＴＢでは、制御部６１０が、自装置のドメイン名“ｂｂｂ．ｃｏ．ｊｐ”の前に、コード供与携帯端末装置（携帯端末装置Ｂ）の識別情報である電話番号“０９０２２２０００”を追加することにより、識別情報包含ドメイン名を生成する。この場合、生成される識別情報包含ドメイン名は、“０９０２２２０００．ｂｂｂ．ｃｏ．ｊｐ”となる。そして、ステップＳ４４４に進む。
【０３６９】
ステップＳ４４４では、制御部６１０が、登録要求ＴＢを、ＤＤＮＳサーバ９００へ送信する。ここで、登録要求ＴＢは、識別情報包含ドメイン名と、自装置のＩＰアドレス“２２２．２２２．２．２”とを対応付けて登録させるための要求である。ここで、識別情報包含ドメイン名は、“０９０２２２０００．ｂｂｂ．ｃｏ．ｊｐ”である。そして、このサーバ登録処理ＴＢは終了する。
【０３７０】
ＤＤＮＳサーバ９００では、まず、ステップＳ４９４の処理が行なわれる。
ステップＳ４９４では、ＤＤＮＳサーバ９００が、登録要求ＴＢを受信したか否かを判定する。ステップＳ４９４において、ＹＥＳならば、ステップＳ４９６に進む。一方、ステップＳ４９４において、ＮＯならば、再度、ステップＳ４９４の処理が行なわれる。ここでは、登録要求ＴＢを受信したとして、ステップＳ４９６に進む。
【０３７１】
ステップＳ４９６では、識別情報包含ドメイン名登録処理が行なわれる。識別情報包含ドメイン名登録処理では、ＤＤＮＳサーバ９００が、内部に設けられる記憶部に、識別情報包含ドメイン名“０９０２２２０００．ｂｂｂ．ｃｏ．ｊｐ”と、通信端末装置ＢのＩＰアドレス“２２２．２２２．２．２”とを対応付けて登録させる。そして、ＤＤＮＳサーバ９００の処理は終了する。
【０３７２】
（テレビ電話実行処理）
次に、通信端末装置Ｂのクライアントである通信端末装置Ａが、図２１のサーバ登録処理ＴＢによりサーバとなった通信端末装置Ｂに接続することで、テレビ電話を行なうための処理（以下、テレビ電話実行処理）について説明する。テレビ電話実行処理において、通信端末装置Ａが行なう処理を、テレビ電話実行処理ＴＡともいう。また、テレビ電話実行処理において、通信端末装置Ｂが行なう処理を、テレビ電話実行処理ＴＢともいう。
【０３７３】
ここで、通信端末装置Ａの記憶部６２０には、通信端末装置Ｂのドメイン名“ｂｂｂ．ｃｏ．ｊｐ”と、図９の通信コードＭＡＤ１００とが記憶されている。
【０３７４】
また、通信端末装置Ｂの記憶部６２０には、自装置のドメイン名“ｂｂｂ．ｃｏ．ｊｐ”と、図１３の通信コードＭＢＤ１００とが記憶されている。ここで、通信端末装置Ａには、ＩＰアドレス“１１１．１１１．１．１”が設定されているとする。
【０３７５】
図２２は、テレビ電話実行処理ＴＡおよびテレビ電話実行処理ＴＢのフローチャートである。図２２を参照して、通信端末装置Ａが行なうテレビ電話実行処理ＴＡでは、まず、ステップＳ５４０の処理が行なわれる。
【０３７６】
ステップＳ５４０では、接続先ドメイン名生成処理ＴＡが行なわれる。接続先ドメイン名生成処理ＴＡでは、接続先ドメイン名が生成される。接続先ドメイン名は、自装置がテレビ電話をおこなうための通信対象となる通信対象装置（通信端末装置Ｂ）のドメイン名“ｂｂｂ．ｃｏ．ｊｐ” の前に、携帯端末装置Ｂの識別情報を追加したドメイン名である。
【０３７７】
携帯端末装置Ｂの識別情報は、記憶部６２０に記憶されている図９の通信コードＭＡＤ１００の携帯端末ＩＤ２が示す電話番号“０９０２２２０００”である。この場合、生成される接続先ドメイン名は、“０９０２２２０００．ｂｂｂ．ｃｏ．ｊｐ”となる。そして、ステップＳ５４１に進む。
【０３７８】
ステップＳ５４１では、ＩＰアドレス取得処理ＴＡが行なわれる。ＩＰアドレス取得処理ＴＡでは、制御部６１０が、ＤＤＮＳサーバ９００に、接続先ドメイン名“０９０２２２０００．ｂｂｂ．ｃｏ．ｊｐ”に対応付けられて登録されているＩＰアドレスを問合せる。これにより、制御部６１０は、接続先ドメイン名“０９０２２２０００．ｂｂｂ．ｃｏ．ｊｐ”に対応する、通信対象装置（通信端末装置Ｂ）のＩＰアドレス“２２２．２２２．２．２”を取得する。そして、制御部６１０は、取得したＩＰアドレス“２２２．２２２．２．２”を記憶部６２０に記憶させる。そして、ステップＳ５４２に進む。
【０３７９】
ステップＳ５４２では、制御部６１０が、通信コードと、自装置（通信端末装置Ａ）のＩＰアドレスとを、通信対象装置（通信端末装置Ｂ）へ送信する。送信される通信コードは、図９の通信コードＭＡＤ１００である。また、送信されるＩＰアドレスは、“１１１．１１１．１．１”である。そして、ステップＳ５４２の処理は終了する。
【０３８０】
通信端末装置Ｂが行なうテレビ電話実行処理ＴＢでは、まず、ステップＳ５６０の処理が行なわれる。
【０３８１】
ステップＳ５６０では、制御部６１０が、通信コードおよびＩＰアドレスを受信したか否かを判定する。ステップＳ５６０において、ＹＥＳならば、ステップＳ５６１に進む。一方、ステップＳ５６０において、ＮＯならば、再度、ステップＳ５６０の処理が行なわれる。ここでは、図９の通信コードＭＡＤ１００および通信端末装置Ａ）のＩＰアドレス“１１１．１１１．１．１”を受信したとして、ステップＳ５６１に進む。
【０３８２】
ステップＳ５６１では、受信情報記憶処理ＴＢが行なわれる。受信情報記憶処理ＴＢでは、制御部６１０が、受信した通信コードＭＡＤ１００およびＩＰアドレス“１１１．１１１．１．１”を、記憶部６２０に記憶させる。そして、ステップＳ５６５に進む。
【０３８３】
ステップＳ５６５では、認証が成功か否かが判定される。具体的には、制御部６１０が、記憶部６２０に記憶されている通信コードＭＡＤ１００および図１３の通信コードＭＢＤ１００の各々が示す「テレビ電話キーワード」が一致し、かつ、現在の時刻が、２つの通信コードのいずれかが示す「テレビ電話期限」より前の時刻である否かを判定する。
【０３８４】
ステップＳ５６５において、ＹＥＳならば、ステップＳ５６７に進む。一方、ステップＳ５６５において、ＮＯなば、ステップＳ５６６に進む。ここでは、仮に、２つの通信コードの各々が示す「テレビ電話キーワード」が一致しないとして、ステップＳ５６６に進む。
【０３８５】
ステップＳ５６６では、制御部６１０が、認証失敗通知を、受信したＩＰアドレス“１１１．１１１．１．１”により特定される通信端末装置Ａへ送信する。ここで、認証失敗通知は、認証が失敗した旨の通知である。そして、再度、ステップＳ５６０の処理が行なわれる。
【０３８６】
通信端末装置Ａでは、ステップＳ５４２の処理の後、ステップＳ５４５に進む。
ステップＳ５４５では、通知受信待機処理ＴＡが行なわれる。通知受信待機処理Ｔでは、制御部６１０が、所定時間、通信端末装置Ｂからの通知を受信するために待機する。所定時間は、たとえば、１分である。なお、所定時間経過すると、ステップＳ５４５の処理は終了する。
【０３８７】
ここで、所定時間内に、通信端末装置Ｂから認証失敗通知を受信したとする。この場合、制御部６１０は、ＶＤＰ６３２を利用して、図１２（Ｂ）の認証失敗画像Ｇ１００Ｃを生成し、認証失敗画像Ｇ１００Ｃを、表示部６３０に表示させる。通知受信待機処理ＴＡにおいて、所定時間内に、認証失敗通知を受信した場合、所定時間（たとえば、１０秒）、認証失敗画像Ｇ１００Ｃの表示が行なわれた後、ステップＳ５４６に進む。
【０３８８】
ステップＳ５４６では、制御部６１０が、認証失敗通知を受信したか否かを判定する。ステップＳ５４６において、ＹＥＳならば、再度、図２０のステップＳ２４０の処理が行なわれる。一方、ステップＳ５４６において、ＮＯならば、後述するステップＳ５４７に進む。ここでは、認証失敗通知を受信したとして、このテレビ電話実行処理ＴＡは、終了する。
【０３８９】
次に、ステップＳ５６５の処理において、判定の対象となる２つの通信コードが、図９の通信コードＭＡＤ１００および図１３の通信コードＭＢＤ１００であり、ステップＳ５６５の処理が行なわれる時点における現在の時刻が、たとえば、“２００６年１２月２０日１５時０５分”である場合の処理について説明する。
【０３９０】
この場合、通信コードＭＡＤ１００および通信コードＭＢＤ１００の各々が示す「テレビ電話キーワード」は、“ＴＶ−ＴＥＬ−ＡＢ”であり一致する。また、ステップＳ５６５の処理が行なわれる時点における現在の時刻“２００６年１２月２０日１５時０５分”は、通信コードＭＡＤ１００および通信コードＭＢＤ１００のいずれかが示す「テレビ電話期限」（“２００６年１２月２０日１５時３０分”）より前の時刻である。この場合、ステップＳ５６５において、ＹＥＳと判定されて、ステップＳ５６７に進む。
【０３９１】
ステップＳ５６７では、制御部６１０が、認証成功通知を、受信したＩＰアドレス“１１１．１１１．１．１”により特定される通信端末装置Ａへ送信する。ここで、認証成功通知は、認証が成功した旨の通知である。そして、ステップＳ５６７の処理は終了する。
【０３９２】
次に、ステップＳ５６７の処理により、通信端末装置Ａへ、認証成功通知が送信された場合の通信端末装置Ａの処理について説明する。
【０３９３】
ここで、通信端末装置Ａでは、ステップＳ５４５の処理が行なわれているとする。
ステップＳ５４５では、前述した処理が行なわれるので詳細な説明は繰り返さない。ここで、所定時間内に、認証成功通知を受信したとする。この場合、制御部６１０は、ＶＤＰ６３２を利用して、図１５の認証成功画像Ｇ１００Ｄを生成し、認証成功画像Ｇ１００Ｄを、表示部６３０に表示させる。また、所定時間内に、認証成功通知を受信した場合、所定時間（たとえば、１０秒）、認証成功画像Ｇ１００Ｄの表示が行なわれた後、ステップＳ５４６に進む。
【０３９４】
ステップＳ５４６では、前述したのと同様な処理が行なわれるので詳細な説明は繰り返さない。ここでは、認証失敗通知を受信していないとして、ステップＳ５４７に進む。
【０３９５】
ステップＳ５４７では、制御部６１０が、認証成功通知を受信したか否かを判定する。ステップＳ５４７において、ＹＥＳならば、ステップＳ５４８に進む。一方、ステップＳ５４７において、ＮＯならば、このテレビ電話実行処理ＴＡは、終了する。ここでは、認証成功通知を受信したとして、ステップＳ５４８に進む。
【０３９６】
ステップＳ５４８では、テレビ電話画像表示処理ＴＡが行なわれる。テレビ電話画像表示処理ＴＡでは、制御部６１０が、ＶＤＰ６３２を利用して、前述した図１６のテレビ電話画像Ｇ２００を生成し、表示部６３０にテレビ電話画像Ｇ２００を表示させる。テレビ電話画像Ｇ２００の説明は、前述したので詳細な説明は繰り返さない。そして、ステップＳ５４８の処理は終了する。
【０３９７】
通信端末装置Ｂでは、ステップＳ５６７の処理の後、ステップＳ５６８に進む。
ステップＳ５６８では、テレビ電話画像表示処理ＴＢが行なわれる。テレビ電話画像表示処理ＴＢでは、制御部６１０が、ＶＤＰ６３２を利用して、前述した図１６のテレビ電話画像Ｇ２００を生成し、表示部６３０にテレビ電話画像Ｇ２００を表示させる。テレビ電話画像Ｇ２００の説明は、前述したので詳細な説明は繰り返さない。そして、ステップＳ５６８の処理は終了する。
【０３９８】
通信端末装置Ａでは、ステップＳ５４８の処理の後、ステップＳ５４９に進む。
ステップＳ５４９では、通信処理Ｔが行なわれる。通信処理Ｔは、図８のステップＳ２４９の処理と同様なので詳細な説明は繰り返さない。
【０３９９】
通信端末装置Ｂでは、ステップＳ５６８の処理の後、ステップＳ５６９に進む。
ステップＳ５６９では、通信処理Ｔが行なわれる。通信処理Ｔは、図８のステップＳ２４９の処理と同様なので詳細な説明は繰り返さない。
【０４００】
通信処理Ｔが、通信端末装置Ａおよび通信端末装置Ｂの各々で行なわれることにより、通信端末装置Ａと通信端末装置Ｂとの間で、テレビ電話を行なうことが可能となる。
【０４０１】
したがって、管理サーバ８００Ａを使用しない本実施の形態においても、第１の実施の形態と同様に、通信端末装置Ａと通信端末装置Ｂとの間で、テレビ電話を行なうことが可能となる。すなわち、通信端末装置Ａおよび通信端末装置Ｂの各々は、１つのネットワーク７０を介して、テレビ電話を行なうことが可能となる。
【０４０２】
したがって、管理サーバ８００Ａを使用しない本実施の形態においても、第１の実施の形態と同様に、通信端末装置Ａおよび通信端末装置Ｂの各々は、電話網６０を利用することなく、１つのネットワーク７０を介して、テレビ電話を行なうことが可能となる。したがって、テレビ電話を行なう際において、ネットワークを効率よく利用した通信を行なうことができるという効果を奏する。
【０４０３】
また、本実施の形態においては、第１の実施の形態と同様、携帯端末装置Ａが、携帯端末装置Ｂに電話をかけるといった簡単な操作で、携帯端末装置Ａおよび携帯端末装置Ｂの各々が、通信コードを生成し、当該生成した通信コードを、対応する通信端末装置へ送信する。
【０４０４】
そして、通信端末装置Ａおよび通信端末装置Ｂの各々で、自装置のネットワーク名と通信コードとを使用した処理が行なわれることで、通信端末装置Ａと通信端末装置Ｂとの間で、テレビ電話を行なうことが可能となる。したがって、複雑な操作をすることなく、容易に、テレビ電話を行なうことができるという効果を奏する。
【０４０５】
また、本実施の形態においては、第１の実施の形態と同様、携帯端末装置５００に設けられる撮像部５７８を使用しなくても、テレビ電話を行なうことができる。すなわち、本実施の形態においては、高価なカメラ付の携帯端末装置でなく、通話機能のみを有する安価な携帯端末装置を使用して、テレビ電話を行なうことができる。また、テレビ電話に使用される通信端末装置６００は、特別なハード構成を有しない一般的なディスプレイ一体型ＰＣである。したがって、安価なシステムで、テレビ電話を行なうとこができるという効果を奏する。
【０４０６】
なお、本実施の形態においても、料金の精算を行なうための処理は、実施可能である。この場合、図１７で説明した処理が行なわれるので詳細な説明は繰り返さない。
（機能ブロック図）
次に、本発明における、制御部５１０および制御部６１０の機能ブロック図について説明する。
【０４０７】
図２３は、本発明の第１の実施の形態における制御部５１０および制御部６１０の機能ブロック図である。図２３を参照して、制御部５１０は、生成部５１１と、供与部５１２とを含む。制御部６１０は、取得部６１１と、送信部６１２とを含む。
【０４０８】
次に、本発明の第１の実施の形態における各部の動作を説明する。生成部５１１は、自装置の識別情報と、通信対象の携帯端末装置の識別情報とを含む通信コードを生成する。供与部５１２は、通信コードを、対応する通信端末装置に与える。
【０４０９】
取得部６１１は、対応する携帯端末装置から通信コードを取得する。送信部６１２は、自装置のネットワークアドレスと、取得した通信コードとを含むテレビ電話要求データを、ネットワーク７０へ送信する。
【０４１０】
なお、制御部５１０に含まれる、生成部５１１および供与部５１２の全てまたは一部は、ハードウエアで構成されてもよい。また、制御部６１０に含まれる、取得部６１１および送信部６１２の全てまたは一部は、ハードウエアで構成されてもよい。
【０４１１】
図２４は、本発明の第２の実施の形態における、第１および第２の携帯端末装置の制御部５１０および第１および第２の通信端末装置の制御部６１０の機能ブロック図である。図２４を参照して、第１の携帯端末装置の制御部５１０は、第１生成部５１３と、第１供与部５１４とを含む。第２の携帯端末装置の制御部５１０は、第２生成部５１５と、第２供与部５１６とを含む。
【０４１２】
第１の通信端末装置の制御部６１０は、第１取得部６１３と、第２ネットワーク名生成部６１４と、通信部６１５とを含む。第２の通信端末装置の制御部６１０は、第２取得部６１６と、第１ネットワーク名生成部６１７とを含む。
【０４１３】
次に、本発明の第２の実施の形態における各部の動作を説明する。第１生成部５１３は、自装置の識別情報と、第２の携帯端末装置の識別情報とを含む第１通信コードを生成する。第１供与部５１４は、第１通信コードを、第１の通信端末装置に与える。
【０４１４】
第２生成部５１５は、自装置の識別情報と、第１の携帯端末装置の識別情報とを含む第２通信コードを生成する。第２供与部５１６は、第２通信コードを、第２の通信端末装置に与える。
【０４１５】
第１取得部６１３は、第１の携帯端末装置から第１通信コードを取得する。第２取得部６１６は、第２の携帯端末装置から第２通信コードを取得する。第１ネットワーク名生成部６１７は、自装置のネットワーク名と、第２通信コードに含まれる第２の携帯端末装置の識別情報とに基づいて、他の装置が自装置と通信するための通信ネットワーク名を生成する。
【０４１６】
第２ネットワーク名生成部６１４は、第２の通信端末装置のネットワーク名と、第１通信コードに含まれる第２の携帯端末装置の識別情報とに基づいて、通信ネットワーク名を生成する。通信部６１５は、生成した通信ネットワーク名に基づいて、第２の通信端末装置とネットワーク７０を利用した主情報の通信を行なう。
【０４１７】
なお、第１の携帯端末装置の制御部５１０に含まれる、第１生成部５１３および第１供与部５１４の全てまたは一部は、ハードウエアで構成されてもよい。また、第２の携帯端末装置の制御部５１０に含まれる、第２生成部５１５および第２供与部５１６の全てまたは一部は、ハードウエアで構成されてもよい。
【０４１８】
また、第１の通信端末装置の制御部６１０に含まれる、第１取得部６１３、第２ネットワーク名生成部６１４および通信部６１５の全てまたは一部は、ハードウエアで構成されてもよい。また、第２の通信端末装置の制御部６１０に含まれる、第２取得部６１６および第１ネットワーク名生成部６１７の全てまたは一部は、ハードウエアで構成されてもよい。
【０４１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４２０】
【図１】本実施の形態におけるネットワークシステムの構成を示す図である。
【図２】携帯端末装置の外観を正面から示した図である。
【図３】携帯端末装置の内部構成を示したブロック図である。
【図４】通信端末装置の内部構成を示したブロック図である。
【図５】情報処理サーバの内部構成を示したブロック図である。
【図６】管理サーバの内部構成を示したブロック図である。
【図７】通話処理Ｍのフローチャートである。
【図８】テレビ電話処理Ｍ、テレビ電話処理Ｔおよび管理サーバで行なわれる処理のフローチャートである。
【図９】一例としての通信コードを示す図である。
【図１０】表示部に表示される画像を示す図である。
【図１１】一例としてのテレビ電話要求データを示す図である。
【図１２】表示部に表示される画像を示す図である。
【図１３】一例としての通信コードを示す図である。
【図１４】一例としてのテレビ電話要求データを示す図である。
【図１５】一例としての認証成功画像を示す図である。
【図１６】一例としてのテレビ電話画像を示す図である。
【図１７】清算処理ＳＡ、清算処理ＴＡおよび清算処理ＳＢのフローチャートである。
【図１８】一例としての料金表示画像を示す図である。
【図１９】本実施の形態におけるネットワークシステムの構成を示す図である。
【図２０】テレビ電話処理Ｍおよび通信端末装置で行なわれる処理のフローチャートである。
【図２１】サーバ登録処理ＴＢおよびＤＤＮＳサーバで行なわれる処理のフローチャートである。
【図２２】テレビ電話実行処理ＴＡおよびテレビ電話実行処理ＴＢのフローチャートである。
【図２３】本発明の第１の実施の形態における異なる２つの制御部の機能ブロック図である。
【図２４】本発明の第２の実施の形態における、第１および第２の携帯端末装置の制御部および第１および第２の通信端末装置の制御部の機能ブロック図である。
【符号の説明】
【０４２１】
５０  通信部、７０  ネットワーク、１８０，１８１，１８０Ａ，１８０Ｂ  プログラム、５００  携帯端末装置、５１０，６１０，７１０，８１０  制御部、５２０，６２０，７２０，８２０  記憶部、５３０，６３０  表示部、５４０  入力部、５５５，５５５Ａ  記録媒体、６００  通信端末装置、７００  情報処理サーバ、８００Ａ  管理サーバ、９００  ＤＤＮＳサーバ、１０００，１０００Ａ  ネットワークシステム。
【図１】
2008160728.tif 000003
【図２】
2008160728.tif 000004
【図３】
2008160728.tif 000005
【図４】
2008160728.tif 000006
【図５】
2008160728.tif 000007
【図６】
2008160728.tif 000008
【図７】
2008160728.tif 000009
【図８】
2008160728.tif 000010
【図９】
2008160728.tif 000011
【図１０】
2008160728.tif 000012
【図１１】
2008160728.tif 000013
【図１２】
2008160728.tif 000014
【図１３】
2008160728.tif 000015
【図１４】
2008160728.tif 000016
【図１５】
2008160728.tif 000017
【図１６】
2008160728.tif 000018
【図１７】
2008160728.tif 000019
【図１８】
2008160728.tif 000020
【図１９】
2008160728.tif 000021
【図２０】
2008160728.tif 000022
【図２１】
2008160728.tif 000023
【図２２】
2008160728.tif 000024
【図２３】
2008160728.tif 000025
【図２４】
2008160728.tif 000026